(57)【要約】モバイル装置と無線で通信する検体検査装置に基づく携帯データ管理システム。モバイル装置は、アプリケーションを起動して、検体検査装置によって得られたデータを管理・分析する。モバイル装置は、健康的な行動の手助けをするまたは収集されたデータに基づいて警告を出すために、検査データの表示、パターンの識別においてユーザの手助けをすることができる。モバイル装置は、他の当事者による使用のため、ユーザの健康データを保存するようにネットワークに接続されることができる。
2018504660.tif 000002
【特許請求の範囲】
【請求項１】
健康データを管理するためのシステムであって、：
被験者から採取されたサンプル液中の検体を測定するために作動可能であり、第一の無線トランシーバを包含する検査装置と；
保存装置に保存され、モバイル装置へのネットワーク接続を介してダウンロード可能なアプリケーションとを含み、アプリケーションがモバイル装置によって実行されるとき：
モバイル装置を検査装置と対にするために、モバイル装置上の第二の無線トランシーバを介して検査装置の第一の無線トランシーバに通信し；
検体測定値に関するデータを第一のおよび第二の無線トランシーバを介して検査装置からモバイル装置へ送信し；
モバイル装置のディスプレイ上に検体測定値に関するデータを表示するために作動可能な、
システム。
【請求項２】
モバイル装置がデータをクラウドサーバに送るためのネットワーク送信機を包含する、請求項１記載のシステム。
【請求項３】
モバイル装置が検査装置と対になり、検査装置からのデータを受け取るために作動可能である、請求項１記載のシステム。
【請求項４】
対にすることが検査装置とモバイル装置との間のタップによってアクティブにされ、タップが検査装置およびモバイル装置によって感知され、タップが検査装置とモバイル装置とを対にする意図を表すことを検査装置およびモバイル装置が登録する、請求項３記載のシステム。
【請求項５】
アプリケーションがモバイル装置と対になる複数の検査装置に関する情報を表示するために作動可能である、請求項４記載のシステム。
【請求項６】
検査装置がモバイル装置と対になる複数の検査装置の一つである、請求項３記載のシステム。
【請求項７】
アプリケーションがアラート判定基準に基づいて測定を実施するためのアラートを提供するために作動可能である、請求項１記載のシステム。
【請求項８】
アプリケーションがデータを分析し、被験者の行動のパターンを決定するために作動可能である、請求項１記載のシステム。
【請求項９】
検体レベルが被験者に対して選択された検体パラメータの範囲に収まらないことをデータが指し示すときにアプリケーションが警告を生成するために作動可能である、請求項１記載のシステム。
【請求項１０】
アプリケーションが検査装置に利用可能な異なる機器構成を表示するために作動可能であり、対になる間、検査装置を設定するために作動可能である、請求項１記載のシステム。
【請求項１１】
アプリケーションが検査装置からのデータと関連することになる追加データの入力を可能にするために作動可能である、請求項１記載のシステム。
【請求項１２】
アプリケーションがモバイル装置の物理的な向きに応じて異なる形式のデータを表示するために作動可能である、請求項１記載のシステム。
【請求項１３】
検査メータが検査メータ内の検査片の存在を指し示すために作動可能な光パネルを包含し、検査片がサンプル液を含有するために作動可能である、請求項１記載のシステム。
【請求項１４】
光パネルが検査メータの異なる機能の作動を指し示すための異なる色を表示するために作動可能である、請求項１３記載のシステム。
【請求項１５】
光パネルがデータに関する情報を伝えるためのまたはいかにしてデータが目標範囲と比較するかを指し示すための複数の色を表示するために作動可能である、請求項１３記載のシステム。
【請求項１６】
アプリケーションがユーザからのデータにさらなるデータを注釈付けするための入力を許容するために作動可能である、請求項１記載のシステム。
【請求項１７】
さらなるデータが検査マーカーまたは検査マーカーアイコンを含む、請求項１６記載のシステム。
【請求項１８】
アプリケーションが被験者の検体レベルのパターンを決定するための被験者についてのデータおよび病歴データを分析するために作動可能である、請求項１記載のシステム。
【請求項１９】
アプリケーションがディスプレイ上に決定されたパターンに関する情報を表示するために作動可能である、請求項１８記載のシステム。
【請求項２０】
被験者のサンプル検査液から検体測定値を測るための検査装置であって、：
検査センサを受け取るために作動可能な検査センサインターフェースと；
作動可能なコントローラであって、：
検査センサのサンプル検査液中の検体を測定し；
検体測定からデータを生成し；
検査装置に近接したモバイル装置を検出し；
検査装置を検出されたモバイル装置に対にするために
作動可能なコントローラと；
検体測定からのデータを示すディスプレイと；
データをモバイル装置に送信する無線送信機と
を含む検査装置。
【請求項２１】
ユーザが入力をコントローラに提供することを可能にするユーザ入力装置をさらに含む、請求項２０記載の検査装置。
【請求項２２】
検査センサインターフェースが検査センサを受け取るためのスロットおよびスロットを取り囲む光パネルを包含する、請求項２０記載の検査装置。
【請求項２３】
光パネルが検査センサを受け取るためのスロットをハイライトするための光を発するために作動可能である、請求項２２記載の検査装置。
【請求項２４】
検査装置がモバイル装置と対にすることを指し示す光色を発するために光パネルが作動可能である、請求項２２記載の検査装置。
【請求項２５】
光パネルが検体の測定からのデータに関する情報を伝えるための複数の異なる色を発するために作動可能である、請求項２２記載の検査装置。
【請求項２６】
コントローラがデータをグルコースの選択されたパラメータ範囲と比較し、光パネルが範囲内状態を指し示す第一の色と、範囲に満たない状態を指し示す第二の色と、範囲を超える状態を指し示す第三の色とを発する、請求項２５記載の検査装置。
【請求項２７】
コントローラに結合されたインターフェースポートをさらに含み、インターフェースポートがデータの有線送信を可能にする請求項２０記載の検査装置。
【請求項２８】
検査装置の機能を指し示すための音を発するオーディオ出力をさらに含む、請求項２０記載の検査装置。
【請求項２９】
コントローラが検査装置からの病歴データのログブックをディスプレイ上に表示するために作動可能であり、データがログブックに追加される、請求項２０記載の検査装置。
【請求項３０】
液サンプルからの検体の測定に関するデータを検査装置からモバイル装置へ転送する方法であって、：
モバイル装置へのネットワーク接続を介して受け取られたアプリケーションを保存する工程と；
モバイル装置上のアプリケーションを実行する工程と；
アプリケーションを使用して検査装置をモバイル装置と対にする工程と；
検査装置を介してデータをモバイル装置に無線で送る工程と；
モバイル装置上にモバイル装置のディスプレイに関するデータを表示する工程と
を含む方法。
【発明の詳細な説明】
【技術分野】
【０００１】
関連出願の相互参照
本出願は、全体を引用例として本明細書に取り込む、２０１４年１１月１４日に出願された米国仮特許出願第６２／０８０，０６７号に対する優先権を主張する。
【０００２】
技術分野
本発明は、健康メータおよびモバイル装置を介して、健康データを管理するための方法およびシステムに一般的に関する。より具体的には、本発明は、人の健康、例えば、検査装置によって行われた体液中の検体の測定と関連している情報をモバイル装置上で管理し表示する携帯システムに関する。
【０００３】
発明の背景
体液中の検体の定量は、ある生理的状態の診断および維持において大変な重要性を持つ。例として、糖尿病の人は、自らの体液中のグルコース値を頻繁にチェックする。そのような検査の結果は、自らの食生活においてグルコース摂取を調節するためおよび／またはインスリンまたは他の薬を投与することが必要であるか否かを決定するために使用されることができる。
【０００４】
診断システム、例えば、血中グルコースモニタリングシステムは、人からの液サンプル中のグルコース濃度値を計算するために、計器、例えば、メータを採用することができる。そのような計器は、サンプル中のグルコースとの反応からの出力、例えば、電流または光を測定することによって作動する。検査結果は、通常、メータによって表示され、保存される。ベーシックなシステムは、ユーザがディスプレイおよびキーパッドまたは他の双方向コンポーネントを介して、メータから検査結果に直接アクセスすることを可能にする。
【０００５】
糖尿病の人にとっては測定が不可欠であるため、診断結果の簡便な示度を可能にする計器が利用可能なことが必須である。例として、専門的なシステムが利用可能であるが、これらのシステムは、高価である。さらに、情報が容易にアクセス可能である場合、測定に関する情報は、ユーザにとって役立つが、専門的な検査装置は、多くの場合、役立つ情報をユーザに提供するように設計されてない。
【０００６】
したがって、検体メータと、分析ソフトウェアを実行するユビキタス装置、例えば、スマートモバイル装置との間の無線接続性を可能にするシステムが要望されている。患者への助言に費やされる時間を減らすために、信頼性のある患者データにアクセスしダウンロードすることと、傾向を識別することとを可能にするシステムが要望されている。ユーザのライフスタイルへのより統合的かつ自然な調和を考慮に入れて、ユーザのアクセスの容易さおよび健康関連アプリケーションとやりとりする能力を可能にするシステムが要望されている。
【０００７】
発明の概要
健康示度データの簡便な分析および管理のためのシステムが開示される。検査装置またはメータは、ユーザからの液を検査するために作動する。検査装置またはメータは、検査装置をモバイルユーザ装置と対にするために、無線リンクを介して、データをモバイルユーザ装置、例えば、スマートフォンに通信する。モバイルユーザ装置は、ネットワーククラウドサーバからモバイル装置上にロードされることができるデータ分析・管理アプリケーションを起動する。データ分析・管理アプリケーションは、検査装置からの検査データならびに検査装置またはモバイル装置と対にした他の検査装置によって測られた他の示度の表示を可能にする。モバイル装置上のアプリケーションは、ヘルスケア目的のために、ネットワークを介して、データをクラウドサーバに送ることができる。アプリケーションは、判定基準、例えば、回数、場所または食事に基づいて検査装置を使用して検査を実施するようユーザにアラートを提供することができる。アプリケーションは、ユーザのために、データを分析し、行動のパターンを決定することができる。アプリケーションは、示度が正常パラメータの範囲に収まらないとき、警告を設定することもできる。
【０００８】
アプリケーションは、検査装置の異なる機器構成をモニタリング・表示し、ユーザが検査装置のある機能をコントロールすることを可能にすることもできる。アプリケーションは、ユーザが情報、例えば、メモ、写真、食事の記載または示度と関連することになる薬を入力することを可能にする。モバイル装置１３０は、装置の向きに応じて、異なる形式のデータを示すことができる。
【０００９】
本発明のなおも他の態様、フィーチャおよび効果は、本発明を遂行するために考えられた最良のモードを包含する多数の例示的な実施態様および具現化したものを図示することによって、以下の発明を実施するための形態から容易に明らかである。本発明は、他の異なる実施態様にも適応でき、そのいくつかの詳細は、すべてが本発明の本質および範囲を逸することなく、さまざまな面で変更されることができる。それゆえに、図面および記載は、実際は例証的であり、限定的ではないとみなされる。本発明は、本発明の本質および範囲内に収まるすべての変形、均等物および代替をカバーするものである。
【図面の簡単な説明】
【００１０】
本特許または出願申請は、カラーで実行される少なくとも一つの図面を含有する。カラー図面を持つ数部の本特許または特許出願刊行物は、要求および必要な料金の支払に応じて、官庁によって提供される。
例示的な実施態様は、参照された図に図示される。本明細書に開示された実施態様および図は、限定的ではなく、例証的であるものとして考慮されることが意図される。
【図１】検体検査のためのメータまたは検査装置と通信するモバイル装置を包含するデータ収集システムを図示する。
【図２Ａ】図１のシステムの検査センサの上面図およびメータの斜視図を図示する。
【図２Ｂ】図１のメータの電子コンポーネントのブロック図を図示する。
【図２Ｃ】図２Ａのメータのディスプレイを図示する。
【図３】図１のメータから無線で送信された検体検査データの結果に関する関連情報を表示する分析プログラムを包含するモバイル装置のブロック図を図示する。
【図４】図１のモバイル装置によって実行される検体データ管理・分析アプリケーションのブロック図を図示する。
【図５Ａ】図１のモバイル装置上に表示されることができる、データ管理アプリケーションの最初のインターフェース初期画面を図示する。
【図５Ｂ】図１のモバイル装置上に表示されることができる、異なるフィーチャをアクティブにするためのプルダウンメニューインターフェース画面を図示する。
【図５Ｃ】図１のモバイル装置上に表示されることができる、設定値をコントロールするためのインターフェース画面を図示する。
【図５Ｄ】図５Ｃの設定値画面から接続メータおよびユーザアカウントを設定するためのインターフェース画面を図示する。
【図５Ｅ】図５Ｃの設定値画面からボーラス計算機を設定するためのインターフェース画面を図示する。
【図５Ｆ】図５Ｃの設定値画面からデイディバイダを設定するためのインターフェース画面を図示する。
【図５Ｇ】図５Ｃの設定値画面からその他設定値を設定するためのインターフェース画面を図示する。
【図５Ｈ】ユーザが図１のモバイル装置と通信するメータを設定することを可能にするメータ情報画面を図示する。
【図６Ａ】図１のモバイル装置上に健康示度を表示するためのデータ表示インターフェース画面を図示する。
【図６Ｂ】図１のモバイル装置上に健康示度を表示するための概要平均データ表示インターフェース画面を図示する。
【図６Ｃ】横向きに回転されたときに図１のモバイル装置上に健康示度を表示するためのデータ表示インターフェース画面を図示する。
【図６Ｄ】横向きに回転されたときに図１のモバイル装置上に健康示度を表示するためのもう一つのデータ表示インターフェース画面を図示する。
【図６Ｅ】図１のモバイル装置上にログ入力に関する詳細な情報を示す画面を図示する。
【図７Ａ】図１のモバイル装置を介して、データをログブックに入力するための手入力画面を図示する。
【図７Ｂ】図１のモバイル装置のユーザにより示度を入力するための示度手入力画面を図示する。
【図７Ｃ】図１のモバイル装置のユーザにより食事マーカーを入力するための食事マーカー手入力画面を図示する。
【図８Ａ】図１のモバイル装置上でユーザにパターンを知らせるパターン通知画面を図示する。
【図８Ｂ】図１のモバイル装置上で現在のパターンを示すパターン管理画面を図示する。
【図８Ｃ】図１のモバイル装置上でパターンに関する追加情報を伝達するパターン詳細画面を図示する。
【図９Ａ】図１のモバイル装置上でリマインダを作成するリマインダ設定画面を図示する。
【図９Ｂ】図１のモバイル装置上の繰り返しリマインダ作成画面を図示する。
【図９Ｃ】図１のモバイル装置上でカスタムリマインダを作成するための入力画面を図示する。
【図９Ｄ】図１のモバイル装置上でカウントダウンリマインダの時間を選択するための入力画面を図示する。
【図１０Ａ】図１のモバイル装置上で機器構成のプロファイルを選択するためのプロファイル管理画面を図示する。
【図１０Ｂ】図１のモバイル装置用の、目標範囲を選択するための目標範囲選択画面を図示する。
【図１０Ｃ】図１のモバイル装置用の、糖尿病プロファイル入力画面を図示する。
【図１１Ａ】図１のモバイル装置用の、重大な状態を指し示す警告画面を図示する。
【図１１Ｂ】図１のモバイル装置用の、フォローアップ検査のカウントダウンの警告画面を図示する。
【図１１Ｃ】図１のモバイル装置用の、重大な状態に応答してフォローアップ検査を開始するリマインダ画面を図示する。
【図１１Ｄ】図１のモバイル装置用の、重大な状態がなおも存在する後に表示された重大な警告画面を図示する。
【発明を実施するための形態】
【００１１】
図示した実施態様の記載
図１は、異なるユーザのために健康状態、例えば、糖尿病の検査データを収集するためのシステム１００を示す。システム１００は、モバイル装置１３０と無線通信するメータ検査装置１１０を包含する。この例では、検査装置１１０は、以下に説明されるように、検体の検査を可能にする。検査装置１１０は、無線リンクを介して、モバイル装置１３０と対にされる。一旦対が確立されると、検査装置１１０からの検査データは、データの詳細な分析を実施するソフトウェアを起動し、データの管理を可能にし、モバイル装置１３０のユーザによって容易に理解されることができる形式の他の関連情報を提供するモバイル装置１３０に渡される。ソフトウェアは、したがって、モバイル装置１３０のユーザの検査結果に関するデータ管理を実施する。
【００１２】
この例では、液サンプル（例えば、血液または間質液）は、検査装置１１０に挿入されるように設定される検査センサ１１２を介して得られることができる。検査装置１１０は、コントロールメータ１１４と通信することもできる。コントロールメータは、インスリンポンプ１１６をコントロールするように設定される。ユーザは、インスリンポンプ１１６と連動するインスリンペン１１８およびコントロールメータ１１４を使用することができる。持続グルコースモニタ（ＣＧＭ）センサ１１９は、グルコースデータを送信するためにコントロールメータ１１４と通信する。検査装置１１０以外の他のメータまたは検査装置１２０も検査センサ１１２からの液サンプルを分析し、検査データをモバイル装置１３０に通信するためにインターフェース装置１２２とインターフェースすることができる。
【００１３】
モバイル装置１３０は、以下に説明されるように、検査装置１１０から得られたデータについてデータ分析を実施する。モバイル装置１３０は、ワイドエリアネットワーク、例えば、インターネット１４０との通信を可能にする。システム１００は、データベース１６０に結合されるサーバ１５０を包含する。サーバ１５０は、患者データをデータベース１６０に維持する。他のユーザ、例えば、ヘルスケアプロバイダは、ネットワーク接続装置、例えば、パーソナルコンピュータ１７０を介して、データベース１６０内の患者データへのアクセスを有することができる。モバイル装置、例えば、モバイル装置１３０を介して、サーバ１５０にアクセスすることができる複数のユーザがいる。
【００１４】
例として、サーバ１５０は、モバイル装置１３０によって収集されたデータのさらなる処理または保存を提供する中央集中ヘルスケアシステムの部分であることができる。中央集中ヘルスケアシステムは、ウェブベースのまたはクライアントサーバベースのフロントエンドをモバイル装置１３０上で起動しているデータ管理ソフトウェアに提供することができる。それに加えてまたは代えて、データは、ヘルスケアプロバイダ（ＨＣＰ）と共有されることができる。それゆえに、データをモバイル装置１３０からサーバ１５０へ転送するために、モバイル装置１３０は、インターフェースを介して、例として、無線ネットワークまたはネットワーク１４０へのＷｉ―Ｆｉホットスポットに直接接続することができる。データ暗号化および認証手順は、データセキュリティを確実にするために採用されることができる。モバイル装置１３０は、無線ネットワークまたはＷｉ―Ｆｉホットスポットの存在を検出し、背景プロセスを通じてデータをサーバ１５０へ自動的に転送する。あるいは、モバイル装置１３０は、サーバ１５０へのアクセスが利用可能であり、所望の場合、ユーザがデータ転送を開始できることをユーザにアラートすることができる。
【００１５】
サーバ１５０は、各種のヘルスケア機能のために使用されることができる。例として、データは、より効果的な受診のためにヘルスケアプロフェッショナルと共有されることができる。データは、ユーザのヘルスモニタリングまたは遠隔患者ケアのために使用されることができる。データは、ライフスタイルプログラムのために使用されることができる。以下に説明されるように、モバイル装置１３０は、他のアプリケーション、例えば、ユーザデータとインターフェースすることができる運動またはフィットネスモニタアプリケーションを包含することができる。データは、糖尿病の人からの動機付けサポートツールのために使用されることができる。他のヘルスケアプロバイダは、他の装置、例えば、サーバ１８０、ラップトップ１８２、パーソナルコンピュータ１８４、タブレット１８６または他のヘルスケアサービス、例えば、サービスおよび商品のモニタリング、販売および提供のためにデータベース１６０からのデータへのアクセスを可能にする任意の他の計算装置を介して、選択したデータを受け取ることができる。
【００１６】
図２Ａを参照して、検査メータまたは検査装置１１０の上面図および検査センサ１１２の斜視図が図示される。検査センサ１１２は、検査装置１１０を使用して分析される液サンプルを受け取るように設定される。分析されることができる検体は、グルコース、脂質プロファイル（例えば、コレステロール、トリグリセリド、ＬＤＬおよびＨＤＬ）、微量アルブミン、ヘモグロビンＡ１ｃ、フルクトース、乳酸またはビリルビンを包含する。検体は、例として、全血サンプル、血清サンプル、血漿サンプル、ＩＳＦ（間質液）および尿のような他の体液ならびに体液以外の液中にあることができる。
【００１７】
検査センサ１１２は、液受けエリアを包含する。液受けエリアは、液サンプルの検体濃度を指し示すために、液サンプルと反応する試薬を含有する。例として、液受けエリアは、液サンプル、例えば、血液サンプルを受け取ることができる。液受けエリアは、液体対照溶液を受け取ることもできる。液体対照溶液は、対照マーカー（内部基準とも呼ばれる）を含有し、検査装置１１０および検査センサ１１２が正確に機能していることをチェックするために使用される。対照マーカーは、検査装置１１０によって起動される検出アルゴリズムを使用して検出される特徴的な現在のプロファイルを生成する。特徴的な現在のプロファイルを有することによって、検査装置１１０は、対照検査を検体液検査（例えば、グルコース血液サンプル）と自動的に区別することができる。
【００１８】
使用されることができる一部の市販されている検査センサは、Bayer HealthCare LLC（ニュージャージー州ホイッパニー）から市販されているものを包含する。これらの検査センサは、Ascensia（登録商標）CONTOUR（登録商標）血中グルコースモニタリングシステム、CONTOUR（登録商標）LINK血中グルコースモニタリングシステム、CONTOUR（登録商標）NEXT USB血中グルコースモニタリングシステム、Ascensia（登録商標）BREEZE（登録商標）およびBREEZE（登録商標）２血中グルコースモニタリングシステムに使用されているものを非限定的に包含する。先に一覧にされたものに加えて、他の検査センサは、本開示内容の方法およびシステムに取り込まれることができる。
【００１９】
検査センサは、電気化学検査センサ、例えば、センサ１１２であることができる。電気化学検査センサ１１２は、通常、複数の電極と、酵素を含有する液受けエリアとを包含する。液受けエリアは、液サンプル（例えば、血液）中の対象の検体（例えば、グルコース）を、それが生む電流に換算して電極パターンのコンポーネントによって電気化学的に測定可能な化学種に変換するための試薬を包含する。試薬は、通常、電極によって検出されることができる電気化学的に測定可能な種を生むために、酵素、例えば、例として、検体とおよび電子受容体、例えば、フェリシアン化塩と反応するグルコースオキシダーゼを含有する。グルコース、例えば、グルコースデヒドロゲナーゼと反応するために、他の酵素を使用することができると考えられる。概して、酵素は、所望の検体または検査される検体と反応するように選択され、液サンプルの検体濃度を決定する手助けをするようにする。もう一つの検体の濃度が決定される場合、検体と反応するように適切な酵素が選択される。
【００２０】
試薬は、通常、検体と電極との間の電子を転送する手助けをするメディエータも包含する。試薬は、酵素とメディエータとを一緒に結び付けるバインダ、他の不活性成分、界面活性剤、ポリマー（例えば、セルロースポリマー）緩衝剤またはそれらの組み合わせを包含することができる。
【００２１】
図２Ａの検査装置１１０は、ディスプレイ２２２とユーザ入力装置２２４とを包含するユーザインターフェース２２０を包含する。ディスプレイ２２２は、通常、検査結果に関わる情報、検査手順および／またはテキスト・画像を包含する、ユーザによって入力された信号に応答した情報を表示する。ディスプレイ２２２は、グラフィック液晶ディスプレイ（ＬＣＤ）、有機発光ダイオード（ＯＬＥＤ）、セグメントＬＣＤまたは同様のものであることができる。ユーザ入力装置２２４は、ユーザが検査装置１１０とやりとりすることを可能にし、プッシュボタン、ソフトキー、スクロールホイール、タッチ画面要素またはそれらの任意の組み合わせを包含することができる。この例では、ユーザ入力装置２２４は、ディスプレイ２２２周辺をナビゲートする円形コントロール２２６と、ディスプレイ２２２上で選択された機能をアクティブにするプッシュボタン２２８とを包含する。
【００２２】
ディスプレイ２２２は、静止および移動テキスト・画像の両方をユーザに提供することができる、高解像度の豊かな映像のディスプレイであることができる。しかし、例として、より低い解像度のモノクロＬＣＤディスプレイを包含する他のタイプのディスプレイを採用することができる。概して、低コストのベーシックなディスプレイからフル機能を持つディスプレイまでの範囲のディスプレイタイプを採用することができる。ディスプレイ２２２は、任意の好適なサイズであることができる。一部のケースでは、ディスプレイ２２２は、検査装置１１０の一つの側全体をカバーすることができる。また、ディスプレイ２２２は、タッチ画面を包含することができる。加えて、ユーザインターフェース２２０は、検査装置１１０上で直接または検査装置１１０との通信インターフェースを介して利用可能である先進グラフィカルユーザディスプレイおよびオーディオ機能を提供することができる。
【００２３】
検査装置１１０は、センサ１１２を受け取るための検査センサポートまたは開口２３０を包含する。照明パネル２３２は、検査片ポート２３０に挿入されるセンサ１１２をガイドする手助けをするために、検査片ポート２３０の周囲に配置される。充電ポート２３４は、検査装置１１０が充電されることを可能にする。この例では、充電ポート２３４は、検査データがコンピュータ接続、例えば、ＵＳＢポート上にダウンロードされることも可能にする。検査装置１１０は、電源、例えば、電力供給との接続を介して再充電されることができる再充電可能バッテリーを有することができる。例として、電力は、電源と検査装置１１０との間のＵＳＢ接続を介して転送されることができる。
【００２４】
無線インターフェース２３６は、検査データを検査装置１１０から無線で送信することを可能にする。無線送信プロトコルは、Bluetooth（登録商標）であることができるが、他のプロトコルを使用することができる。照明パネル２３２は、ユーザの手助けをし、情報をユーザに伝えるために、異なる色付けされた光を発することができる。例として、照明パネル２３２は、ユーザが検査センサ１１２を検査装置１１０に嵌合することの手助けをするために、白光を発することができる。照明パネル２３２は、モバイル装置、例えば、図１のモバイル装置１３０と対になるBluetoothがあることを指し示すために、青光を発することができる。照明パネル２３２は、示度が正常パラメータ内にあることを指し示すために、緑色を発することができる。照明パネル２３２は、低血糖状態を指し示す、示度が正常パラメータに満たないことを指し示すために赤色を発することができる。照明パネル２３２は、高血糖状態を指し示す、示度が正常パラメータを超えることを指し示すために橙色を発することができる。ユーザに伝えられる作動または示度を指し示すために、他の追加的な色が使用され得ることが考えられる。
【００２５】
既に記載したように、検査装置１１０は、通常、プログラムされた命令を実行する少なくとも一つのコントローラならびに情報をユーザに提供するディスプレイ２２２およびユーザとのやりとりを有効にする入力装置２２４、例えば、プッシュボタン、ソフトキー、スクロールホイール、タッチ画面要素またはそれらの任意の組み合わせを包含するユーザインターフェース２２０を採用する。
【００２６】
図２Ｂに示されるように、検査装置１１０は、検査センサ１１２によって収集されたサンプルの検体濃度を測定するための反応検出システム２５０を包含する。先に記載したように、反応検出システム２５０は、検査センサポート２３０に挿入されるとき電気化学検査センサ１１２の電気化学反応を検出するために、電極のためのコンタクトを包含することができる。あるいは、反応検出システム２５０は、光検査センサのために反応の色彩結果または反射率結果を検出するために、光検出器を包含することができる。反応検出システムによって測定された電気化学または光学的に測定された反応から実際の検体濃度を計算し、一般的にサンプルを検査するための手順をコントロールするために、検査装置１１０は、通常、測定アルゴリズムによってプログラムされた命令を実行する少なくとも一つのコントローラ２５２を採用する。コントローラ２５２によって処理されたデータは、メモリ要素２５４に保存されることができる。
【００２７】
コントローラ２５２は、図２Ａのディスプレイ２２２をドライブするディスプレイドライバ２５６に結合される。コントローラ２５２は、無線トランシーバ２５８に結合される。この例では、無線トランシーバ２５８は、モバイル装置、例えば、図１のモバイル装置１３０と対にするためのBluetoothトランシーバである。検査装置１１０は、この例では充電ポート２３４を介して充電されることができる再充電可能バッテリーである電源２６０も包含する。コントローラ２５２は、パネルコントロール２６２を介して、照明パネル２３２によって発された色のコントロールもする。コントローラ２５２は、検査の成功または不成功を指し示すビープ音であることができ、他の音を使用することもできるオーディオ出力２６４をアクティブにもする。
【００２８】
図２Ｃは、ディスプレイ２２２をより詳細に図示する。ディスプレイ２２２は、日付および時間２７０と、データ示度２７２とを包含する。データ示度２７２は、測定された血中グルコース濃度である。以下に説明されるように、マーカーアイコンは、この例では食事前、食事後および空腹時の異なるアイコンを表示することができる検査の状態を指し示す。当然ながら、他のアイコンを使用することができる。ディスプレイ２２２は、以下に説明されるように、モバイル装置１３０上のアプリケーションを使用して調整されることができる異なる状態の目標範囲、例えば、食事前および食事後を表示する。入力装置２２４は、状態および対応する目標範囲を選択するために使用されることができる。目標範囲は、目標アイコン２７４を選択することによって選択されることができる。
【００２９】
作動中、検査装置１１０は、検査センサ、例えば、検査センサ１１２を検査センサポート２３２に挿入するかボタン２２８を押えるかのいずれかによってアクティブにされることができる。検査アイコン２７６は、検査センサ１１２が挿入されたことを指し示す。ユーザは、その後、一滴の血液を検査センサ１１２に挿入する。検査装置１１０は、検査センサ１１２に十分な血液がない場合、オーディオ表示を行う。示度の後、ユーザは、マーカーアイコン２７８または２８０のうち一つを選択することによって、示度をマーキングすることができる。この例では、食事前マーカー２７８と、食事後マーカー２８０とがある。ユーザが示度をマーキングすることを望まない場合、ノーマークアイコン２８２を選択することができる。先に説明したように、データ示度２７２は、検査されたサンプルの血中グルコース濃度を示す。チェックマークおよび矢印に関した追加的なインジケータは、示度が目標範囲内であるか、目標範囲を超えるか、目標範囲に満たないかを指し示すために、示度２７２に現れる。先に説明したように、照光パネル２３２は、目標範囲と比較して示度の値に応じて色も変える。ディスプレイ２２２は、場合によりユーザに状態を警告する適切なオーディオ信号とともに、異例に高いまたは低い血中グルコース示度を指し示すために「ＨＩ」または「ＬＯ」も表示する。コントローラ２５２は、ユーザに異常な状態を警告するために、オーディオ出力２６４をアクティブにすることができる。
【００３０】
ログブックアイコン２８４は、ユーザが検査センサ１１２によって測られた所定の数の過去の示度の入力を表示することを可能にする。この例では、８００件の示度が検査装置１１０によってログブックに保存されるが、程度の差はあるが示度は、ログブックに保存されることができる。示度値、時間および日付は、各入力に対して表示される。円形コントロール２２６は、ログブックアイコン２８４が選択されるとき、入力をスクロールアップ・ダウンするために使用されることができる。設定値アイコン２８６は、ユーザがディスプレイ２２２上で設定値を変えることを可能にする。ディスプレイ２２２は、低バッテリーを指し示すバッテリー低インジケータ２８８と、Bluetooth通信を指し示すBluetoothシンボル２９０とを包含する。サウンドアイコン２９２は、ユーザがオーディオをオンおよびオフにすることを可能にする。ディスプレイ２２２は、検査装置１１０が正しく機能していないことを指し示すエラーコードを表示することができる。光パネルアイコン２９４は、ユーザが照光パネル２３２をアクティブにしたり非アクティブにしたりすることを可能にする。
【００３１】
図３は、図１の検査装置１１０と通信し、検体検査データを分析・管理するための以下に記載したアプリケーションを起動するモバイル装置１３０のブロック図を示す。この例では、モバイル装置１３０は、情報を無線通信媒体、例えば、Bluetoothで送り、受け取るように設定される実質的にいかなる好ましくはモバイル計算装置であることができる。モバイル装置１３０は、ウェブ対応であることができ、ユーザへのウェブページの提供のためのブラウザソフトウェアを起動することができる。そのようなモバイルユーザ装置は、携帯装置、例えば、セルラー電話、スマートフォン、ディスプレイページャ、無線周波数（ＲＦ）装置、赤外線（ＩＲ）装置、全地球測位装置（ＧＰＳ）、パーソナルデジタルアシスタント（ＰＤＡ）、ハンドヘルドコンピュータ、ウェアラブルコンピュータ、タブレットコンピュータ、一つまたは複数の前述の装置を組み合わせた統合的な装置および同様のものを包含することができる。検査装置１１０からのデータを分析し、それと通信するために、他のBluetooth対応装置、例えば、ラップトップコンピュータ、デスクトップコンピュータ、ワークステーションまたは他のコンピュータを使用することもできる。モバイル装置は、マルチプロセッサシステム、マイクロプロセッサベースのまたはプログラマブル家庭用電化製品および同様のものを包含することができる。そのように、以下に記載したアプリケーションを起動しているユーザ装置は、機能およびフィーチャに関して大きく広がることができる。
【００３２】
以下に例が挙げられたように、ウェブ対応のユーザ装置は、無線アプリケーションプロトコルメッセージ（ＷＡＰ）および／または有線アプリケーションメッセージならびに同様のものを受け取り、送るために有効にされるブラウザアプリケーションを包含することができる。一つの例では、ブラウザアプリケーションは、デジタル情報を表示するおよび／または送るために、ハイパーテキストマークアップ言語（ＨＴＭＬ）、ダイナミックＨＴＭＬ、ハンドヘルドデバイスマークアップ言語（ＨＤＭＬ）、無線マークアップ言語（ＷＭＬ）、WMLScript、JavaScript（登録商標）、拡張可能ＨＴＭＬ（ｘＨＴＭＬ）、コンパクトＨＴＭＬ（ＣＨＴＭＬ）および同様のものを採用するために有効にされる。
【００３３】
ユーザ装置は、ネットワーク送信を介してもう一つの計算装置からコントロールデータおよび／またはコンテンツを受け取るように設定される、少なくとも一つのクライアントアプリケーションを包含することもできる。クライアントアプリケーションは、テキストコンテンツ、グラフィカルコンテンツ、動画コンテンツ、オーディオコンテンツおよび同様のものを提供および受け取りする機能を包含することができる。また、ユーザ装置は、メッセージ、例えば、ショートメッセージサービス（ＳＭＳ）、ダイレクトメッセージング（例えば、Twitter）、Ｅメール、マルチメディアメッセージサービス（ＭＭＳ）、インスタントメッセージング（ＩＭ）、インターネットリレーチャット（ＩＲＣ）、ｍＩＲＣ、Jabber、発展系メッセージングサービス（ＥＭＳ）、テキストメッセージング、スマートメッセージング、オーバー・ジ・エア（ＯＴＡ）メッセージングまたは同様のものを通じたものをもう一つの計算装置とまたは同様のものとの間で通信および／または受け取りするようにさらに設定されることができる。
【００３４】
図１のネットワーク１４０は、一つの計算装置ともう一つの計算装置との間の通信を可能にするように設定される。ネットワーク１４０は、情報を一つの電子装置からもう一つに通信するための任意の形態のコンピュータ可読媒体を採用するために有効にされることができる。異なったアーキテクチャおよびプロトコルに基づくものを包含する相互接続した一式のＬＡＮ上では、ルータおよび／またはゲートウェイ装置は、ＬＡＮ間のリンクとしての役割を果たし、計算装置間に送られるメッセージを有効にする。同様に、ＬＡＮ内の通信リンクは、通常、ツイストペア線または同軸ケーブルを包含し、一方では、ネットワーク間の通信リンクは、アナログ電話回線；Ｔ１、Ｔ２、Ｔ３およびＴ４を包含するフルまたは部分専用デジタル回線；統合的サービスデジタルネットワーク（ＩＳＤＮ）；デジタル加入者回線（ＤＳＬ）；衛星リンクを包含する無線リンク；または当業者に公知の他の通信リンクを利用することができる。さらに、遠隔コンピュータおよび他の関連電子装置は、モデムおよび一時的な電話リンクを介して、ＬＡＮまたはＷＡＮのいずれかに遠隔から接続されることができる。
【００３５】
ネットワーク１４０は、インフラストラクチャ指向の接続を提供するために、独立型アドホックネットワークをさらに重ね合わせることができる任意の各種の無線サブネットワークおよび同様のものをさらに包含することができる。そのようなサブネットワークは、メッシュネットワーク、無線ＬＡＮ（ＷＬＡＮ）ネットワーク、セルラーネットワークおよび同様のものを包含することができる。ネットワーク１４０は、ターミナルの自立システム、ゲートウェイ、ルータおよび無線ラジオリンクまたは無線トランシーバによって接続された同様のものを包含することもできる。これらのコネクタは、自由かつランダムに移動し、それら自身を任意に構造化するように設定されることができ、ネットワーク１０８のトポロジーは、迅速かつ任意に変わることができるようにする。
【００３６】
ネットワーク１４０は、セルラーシステム；ＷＬＡＮ；無線ルータ（ＷＲ）メッシュおよび同様のもののための第二（２Ｇ）、第２．５、第三（３Ｇ）、第四（４Ｇ）世代無線アクセスを包含する複数のアクセス技術をさらに採用することができる。アクセス技術、例えば、２Ｇ、３Ｇ、４Ｇおよび将来のアクセスネットワークは、さまざまな度合いの移動性を持つモバイル装置のためのワイドエリアカバレッジを有効にすることができる。例として、ネットワーク１４０は、無線ネットワークアクセス、例えば、モバイル通信のためのグローバルシステム（ＧＳＭ（登録商標））、汎用パケット無線サービス（ＧＰＲＳ）、発展系データＧＳＭ環境（ＥＤＧＥ）、広帯域コード分割多元接続（ＷＣＤＭＡ（登録商標））、ＣＤＭＡ１１００および同様のものを通じて無線接続を有効にすることができる。ネットワーク１４０は、ＴＣＰ／ＩＰ、ＵＤＰ、ＳＩＰ、ＳＭＳ、ＲＴＰ、ＷＡＰ、ＣＤＭＡ、ＴＤＭＡ、ＥＤＧＥ、ＵＭＴＳ、ＧＰＲＳ、ＧＳＭ、ＵＷＢ、WiMax、ＩＥＥＥ  ８０２．１１ｘおよび同様のものを包含するさまざまな他の有線および無線通信プロトコルとの使用のために構築されることもできる。本質的に、ネットワーク１４０は、それにより情報が一つの計算装置と、もう一つの計算装置、ネットワークおよび同様のものとの間を進むことができる、実質的にいかなる有線および／または無線通信機構も包含することができる。
【００３７】
図３は、モバイル装置、例えば、図１のモバイル装置１３０のコンポーネントのブロック図である。モバイル装置１３０は、アプリケーションプロセッサ３１０と、電源３１２と、ディスプレイ３１４と、ベースバンドプロセッサ３１６と、ＣＯＤＥＣ３１８とを包含する。この例では、ディスプレイ３１４は、ユーザがタッチ入力を介してアプリケーションプロセッサ３１０によって起動されたアプリケーションならびにアプリケーションプロセッサ３１０によって生成された図グラフィックをコントロールすることを可能にするＬＣＤタッチ画面である。ディスプレイ３１４は、タッチ画面コントローラ３２０によってコントロールされる。アプリケーションプロセッサ３１０は、さまざまな装置、例えば、カメラ３２２および他のインターフェース、例えば、通信ポートなどに結合されることができる。
【００３８】
ベースバンドプロセッサ３１６は、図１のネットワーク１４０との通信を可能にするネットワーク送受信機３３０、モバイル装置１３０の場所を決定するために測位データの受信を可能にするジオリファレンス受信機３３２およびBluetooth対応の装置、例えば、検査装置１１０との通信を可能にするBluetooth受信機３３４からの信号を受け取る。ベースバンドプロセッサ３１６は、信号において処理し、アプリケーションプロセッサ３１０による使用のために信号を変換するＣＯＤＥＣ３１８に結合される。ＣＯＤＥＣ３１８は、機能、例えば、アプリケーションプロセッサ３１０によって起動された電話アプリケーションのために、マイクロフォン３４０によって受け取られたオーディオ信号をデコードし、スピーカ３４２による出力のためにデータ信号を符号化もする。他のオーディオ装置、例えば、ヘッドセットは、ＣＯＤＥＣ３１８を通じて結合されることができると考えられる。
【００３９】
プロセッサ３１０、３１６は、コンピュータ、ソフトウェアおよびネットワーキングの当業者によって認められるように、本明細書に記載および図示した教示によってプログラムされた、一つまたは複数の汎用コンピュータシステム、マイクロプロセッサ、デジタル信号プロセッサ、マイクロコントローラ、特定用途向け集積回路（ＡＳＩＣ）、プログラマブルロジックデバイス（ＰＬＤ）、フィールドプログラマブルロジックデバイス（ＦＰＬＤ）、フィールドプログラマブルゲートアレイ（ＦＰＧＡ）および同様のものを使用して好都合に具現化されることができる。
【００４０】
オペレーティングシステムソフトウェアおよび他のアプリケーションは、アプリケーションプロセッサ３１０によるアクセスのために、リードオンリーメモリ（ＲＯＭ）３５０、ランダムアクセスメモリ（ＲＡＭ）３５２およびメモリ保存装置３５４上に保存される。この例では、メモリ保存装置３５４は、フラッシュメモリであるが、他のメモリ装置を使用することができる。メモリ保存装置３５４上に保存されるアプリケーションは、ディスプレイ上にインターフェースグラフィックを作成し、ブラウジングアプリケーションとインターフェースする情動スコアデータ収集・送信アプリケーションを包含する。他の形態のアプリケーションが以下に説明される原理を取り込むことができると考えられる。この例では、分析アプリケーションは、モバイル装置１３０上にプレロードされることができまたはネットワーク１４０を介して、ネットワーク接続装置、例えば、サーバ１５０からモバイル装置１３０にダウンロードされることができるアプリケーションとして供されることができる。
【００４１】
メモリ保存装置３５４は、その上に本明細書に記載した任意の一つまたは複数の手法または機能を具体化する一式または複数式の命令が保存される機械可読媒体（例えば、ソフトウェア）を包含する。命令は、モバイル装置１３０によるその実行中に、完全にまたは少なくとも部分的にメモリ保存装置３５４、ＲＯＭ３５０、ＲＡＭ３５２内におよび／またはプロセッサ３１０もしくは３１６内にあることもできる。命令は、ネットワーク送受信機３３０を介して、ネットワーク、例えば、図１のネットワーク１４０でさらに送信または受け取られることができる。機械可読媒体がこの例では単一媒体であると示されているが、用語「機械可読媒体」は、一式または複数式の命令を保存する単一の媒体または複数の媒体（例えば、中央集中もしくは分散データベースおよび／または関連しているキャッシュおよびサーバ）を包含すると取られる。用語「機械可読媒体」は、機械による実行のための一式の命令を保存、符号化または遂行することに適応でき、機械にさまざまな実施態様の一つまたは複数の手法を実施させるまたはそのような一式の命令によって利用されるもしくはそれと関連しているデータ構造を保存、符号化または遂行することに適応できる任意の媒体を包含すると取られることもできる。用語「機械可読媒体」は、それゆえに、固体メモリ、光媒体および磁気媒体を非限定的に包含すると取られることができる。
【００４２】
各種の異なるタイプのメモリ保存装置、例えば、システム内のランダムアクセスメモリ（ＲＡＭ）またはリードオンリーメモリ（ＲＯＭ）またはフロッピーディスク、ハードディスク、ＣＤ  ＲＯＭ、ＤＶＤ  ＲＯＭ、フラッシュもしくはプロセッサに結合される磁気、光もしくは他の読み取りおよび／または書き込みシステムから読み取られるおよび／またはそれによって書き込まれる他のコンピュータ可読媒体は、ユーザ装置１３０内の一つのメモリまたは複数の８メモリに使用されることができる。
【００４３】
モバイル装置１３０上で起動しているデータ管理ソフトウェアは、プログラムの集合体または測定されたデータおよび／または他の入力を受け取り、処理するコンピュータコードであることができる。データ管理ソフトウェアは、ユーザまたは他の人によって所望または選択された方法でこの入力を処理および／または表示する。この情報は、ユーザ、ホームケアプロバイダ（ＨＣＰ）、医者および／または他の人によって使用されることができる。既に論じられたように、測定されたデータは、グルコースの濃度および／または人の血液または他の液中の他の検体を包含する検体の検査からの情報を包含することができる。ソフトウェアは、先進ディスプレイおよび１日につき複数の回数（例えば、１日につきおよそ６〜およそ１０回）検査するユーザによって必要とされるであろうデータ処理を提供することができる。例として、ソフトウェアは、Bayer HealthCare LLC（ニュージャージー州ホイッパニー）から市販されているWINGLUCOFACTS（登録商標）糖尿病管理ソフトウェアに類似の製品を包含することができる。そのように、ソフトウェアは、血中グルコース測定システムから検査結果を受け取り・保存し、他の検査情報、例えば、検査回数および食事マーカーを受け取り・保存し、電子ログブック内の検査結果を追跡し、平均を計算し他の統計分析を提供し、検査結果に関するフィードバックを要約し提供し、カスタマイズ可能なグラフィカルユーザインターフェースを提供し、検査結果のユーザフレンドリーなチャートおよびグラフを表示し、ユーザ固有の目標範囲に対する検査結果を追跡し、予測分析を提供しおよび／またはファックス、Ｅメールまたは同様のものを介してデータをヘルスケアプロバイダに送る、一揃いのツールキットを提供することができる。
【００４４】
システム１００は、検体、例えば、血中グルコースの検査からの情報の受け取りおよび管理に限定されない。実際に、システム１００は、健康データを測定および／または記録し、検体検査、例えば、体温測定、血圧測定、心拍数測定、血液酸素含有量測定、慢性閉塞性肺疾患（ＣＯＰＤ）分析のための呼吸測定、Lasix使用を分析するための体重測定または同様のものを要しない他のシステムまたは装置からのデータを受け取ることができる。
【００４５】
加えて、ソフトウェアは、検査結果を受け取り・保存するためにデータ保存所、例えば、内蔵データベースを採用することができる。システム１００は、（１）ユーザの所有のまま残る本質的にすべてのデータがモバイル装置１３０上に保存・処理されることと；（２）他の人がアクセスすることができるいかなる可読データもデータ保存所からサーバ１５０へ永続的に転送されないこととを確実にすることによって、データのセキュリティ、例えば、パーソナル医療情報に関する課題に取り組む。したがって、ユーザは、システム１００とインターフェースするために公共のコンピュータを使用することができ、いかなるデータも他人が閲覧できる公共のコンピュータ上に残らない。システム１００がデータをネットワーク装置、例えば、コンピュータ１７０上のＲＡＭまたは他の類似保存所上へ一時的に転送することができるものの、システム１００におけるクリーンアップまたは終了手順は、任意のそのような転送されたデータがコンピュータ１７０から削除されることを確実にする。
【００４６】
データセキュリティは、データ管理ソフトウェアによってのみアクセスまたは復号されることができるデータ保存所（例えば、内蔵データベース）を採用することによって高められることもできる。さらに、ソフトウェアは、プログラムまたはコンポーネント、例えば、データ完全性およびセキュリティを守るユーザ認証ルーチンを包含することもできる。データ管理ソフトウェアが立ち上がるとき、それは、即座にユーザＩＤおよびパスワード、個人識別番号（ＰＩＮ）および／または他の認証情報を催促するプロンプトをユーザに出す。ユーザは、セキュリティプロンプトに対する応答がデータ管理システム１００で保存された認証情報と一致する場合、モバイル装置１３０上のみでデータへのアクセスを可能にされる。ユーザ認証ルーチンは、データがモバイル装置１３０からサーバ１５０へ転送されることを許可するために採用されることもできる。
【００４７】
それに加えてまたは代えて、図２Ｂおよび３のトランシーバ２５８および３３４は、それぞれ、無線周波数（ＲＦ）リンク（例えば、短距離ＲＦテレメトリ）、例えば、Bluetooth（登録商標）無線技術、Zigbee、Z-Sense（商標）技術、FitSense、BodyLAN（商標）システムおよびその他のＲＦ技術を介して通信するために、検査装置１１０およびモバイル装置１３０を有効にすることもできる。ＲＦ技術、例えば、Bluetooth（登録商標）は、例として、ラップトップパーソナルコンピュータおよびモバイルフォンと無線で通信するために、外部装置を有効にする。他の無線または非物理的通信技術、例えば、赤外線（ＩＲ）リンクを使用することもできる。
【００４８】
データ、例えば、血中グルコース測定システムからの試験結果およびデータ管理ソフトウェアによって処理された他の健康データを保存することに加えて、モバイル装置１３０は、その携帯性および互換性に起因して、携帯医療記録装置の機能を取り込むために採用されることができる。そのように、モバイル装置１３０は、救急救命士（ＥＭＴ）、医師、他のヘルスケアプロバイダまたは同様のものとの重要な情報の共有を容易にするために使用されることができる。
【００４９】
特定の実施態様では、モバイル装置１３０は、緊急事態中、重要な情報を提供することができる。ユーザが意識不明またはさもなければケア提供者と通信することが不可能な場合、ケア提供者は、モバイル装置１３０を計算装置と接続することができ、一旦データ管理ソフトウェアが立ち上げられると、重要な情報は、スプラッシュ画面または初期画面上に現れることができる。このタイプの機能は、可能であり、なぜならばモバイル装置１３０は、各種の計算装置との互換性が高く、ケア提供者は、ソフトウェアを立ち上げるためにそのような装置上にソフトウェアコンポーネントをプレインストールする必要がないからである。
【００５０】
一部のケースでは、データ管理システムソフトウェアまたはアプリケーションは、ヘルスケアコミュニティに分配されることができ、モバイル装置１３０上のデータは、権限を与えられた場合、データ管理システムソフトウェアがヘルスケアプロバイダの処理装置、例えば、コンピュータ１７０上にインストールされて、アクセスされることができる。セキュリティ目的のために、データは、暗号化されることができ、それは、ヘルスプロバイダ処理装置上で復号キーでのみ読み取られることができる。
【００５１】
概して、保存され、他の人、例えば、ヘルスケアプロバイダと共有されるデータのタイプは、：名前およびアドレス情報；疾患状態を追跡したデータ（ログブック情報、慢性的な病気の日次追跡および測定可能なマーカー、過去１２時間に収集された測定値など）；併存疾患データ；服用されたインスリンまたは他の薬の最後の用量；主たる医師の名前およびコンタクト情報；医師への過去の受診に関する情報；生前遺言；ヘルスケア委任状に関する情報；保険情報；アレルギー情報；および他のユーザ提供情報を非限定的に包含する。それに代えてまたは加えて、情報は、モバイル装置１３０に貼付されたステッカーまたは他のラベル上に提供されることができる。
【００５２】
ユーザのプライバシーを保護するために、モバイル装置１３０を通じて共有される情報は、ユーザによって厳重にコントロールされる。共有されるデータをコントロールするためのさらなる技法として、データ管理ソフトウェアは、複数のレベルのアクセスを提供することができ、あるタイプのデータは、ある人／機関に対してのみアクセス可能であるようにする。例として、ＥＭＴは、情報、例えば、医師の情報および医療ブレスレット上に一般的に利用可能であるデータにのみアクセスすることが可能である。換言すると、ソフトウェアは、より高い権限のないものに対してはより機密性の低いパーソナル情報を提供するために、非常にベーシックな機能、例えば、単一のスプラッシュ画面を表示することを提供する。その一方で、医師は、より機密性の高い健康に関する情報にアクセスすることが可能であることができる。さらに、より多いアクセスは、血縁者または近親のケア提供者、例えば、糖尿病の子供の両親に提供されることができる。
【００５３】
既に記載したように、モバイル装置１３０は、各種の装置と接続し、通信するために、各種のインターフェースを包含することができる。モバイル装置１３０は、ユーザによりワイドな範囲の機能およびフィーチャを提供するために、外部システムと遠隔から、例えば、ネットワークで接続する通信機能を採用することができる。一部の実施態様では、これらの外部システムは、モバイル装置１３０とこれらの外部システムとの間の通信を管理するホスト機能を提供することができる。これらの外部システムは、データ管理ソフトウェアまたはモバイル装置１３０と外部システムとの間の通信を有効にするためにモバイル装置１３０上に保存された他のソフトウェアコンポーネントの態様を実行することができる。あるいは、これらの外部システムは、必要なソフトウェアコンポーネントをローカルに保存することができる。
【００５４】
それゆえに、モバイル装置１３０は、データを遠隔から他の人、例えば、ヘルスケアプロバイダへ送信するために、インターネットまたはセルラーネットワークにアクセスすることができる。そのように、ユーザは、データを共有するために、モバイル装置１３０を他の人の処理装置と直接接続する必要がない。モバイル装置１３０上に保存された健康データは、それ故に、離れたまたは遠隔の場所に位置することができるヘルスケア専門家を包含する他の人と簡単に共有される。このフィーチャは、健康問題、距離、コストなどに起因して、ヘルスケアプロバイダの施設に行くことが不可能なユーザにとって特に有利であることができる。また、このフィーチャは、より多い頻度および即時性でユーザの健康データをモニタリングするためのヘルスケアプロバイダの能力を高める。
【００５５】
加えて、モバイル装置１３０は、サーバ１５０上に保存されたデータおよび／またはソフトウェアに対するフィールドアップグレードを受け取るために、ネットワーク１４０に接続することができる。例として、モバイル装置１３０は、遠隔ダウンロードサーバに接続することによって、データ管理ソフトウェアの更新された／パッチされたバージョンまたは完全に新規のバージョンでさえも好都合に受け取ることができる。さらなる例として、モバイル装置１３０は、モバイル装置１３０上でのソフトウェアまたはアプリケーションの実行のための新規のまたは更新されたパラメータを受け取ることができる。一部の実施態様では、システム１００のための新規のプログラムまたはフィーチャは、遠隔ダウンロードサーバから受け取られる、例えば、購入されることができる。データ管理アプリケーションのためのグラフィカルユーザインターフェースをカスタマイズまたはパーソナライズすることができる任意のフィーチャは、インターネットを通じてアクセス可能であるシステムを通じて利用可能であることができる。モバイル装置１３０上のデータおよびソフトウェアの完全性を維持するために、フィールドアップグレードを介してダウンロードされたデータまたはソフトウェアは、モバイル装置１３０に採用される前に確認されることができる。例として、チェックサムルーチンは、データまたはソフトウェア全体のダウンロードが成功したことを確かめるために採用されることができる。モバイル装置１３０は、フィールドアップグレードの態様を管理するために、ソフトウェアコンポーネントをローカルに実行することができるプロセッサを包含することができる。例として、モバイル装置１３０上のプロセッサは、データ更新ファイル（ＤＵＦ）またはソフトウェアのダウンロードが成功したことを確実にする他のコンポーネントによって、モバイル装置１３０上のデータ完全性を保護することができる。追加的なデータセキュリティのために、ＤＵＦは、データ暗号化／復号と共に採用される。
【００５６】
モバイル装置１３０は、各種の装置に接続するために、ＵＳＢインターフェースを採用することができる。従来のシステムでは、標準的なＵＳＢは、処理装置がホストとしての役割を果たし、ＵＳＢ対応の周辺装置がスレーブとしての役割を果たす、処理装置と周辺装置との接続性を提供するように設計される。概して、標準的なＵＳＢでは、ＵＳＢホストのみが接続されたＵＳＢ周辺装置へのデータ転送を開始することができ、ＵＳＢ周辺装置は、ホストによって与えられた命令に応えることのみができる。したがって、ＵＳＢ対応の周辺装置は、ピアツーピア通信チャンネルで他のＵＳＢ対応の周辺装置と接続することが可能ではない。
【００５７】
図４は、図１のモバイル装置１３０によって実行される管理・分析アプリケーション４００のブロック図を示す。以下に説明されるように、管理・分析アプリケーション４００は、図１の検査装置１１０によって実施された液の検査に関するデータを受け取り、ユーザに管理・分析機能を提供する。管理・分析アプリケーション４００は、アプリケーションフレームワーク４０２およびオペレーティングシステムレイヤー４０４を包含する。オペレーティングシステムレイヤー４０４は、異なるモバイル装置の異なるオペレーティングシステム、例えば、Android、Windows、iOSおよびOSXのためのプラグイン４０６を包含する。
【００５８】
アプリケーションフレームワーク４０２は、異なるＡＰＩ、例えば、ユーザインターフェースおよびJSONパーサーＡＰＩ４１０、クラウドサービスＡＰＩ４１２、データベースＡＰＩ４１４、通信ＡＰＩ４１６、ＢＣＰ  ＡＰＩ４１８および血中グルコースプロファイルＡＰＩ４２０を包含する。アプリケーションフレームワーク４０２は、他の機能を持つモジュールを一緒につなぎ、アプリケーション４００にベーシックなサービスを提供するミドルウェア４０８を包含する。これらのサービスの多くがプラットフォーム固有であるが、それらは、十分小さく、単純な方法で抽象化されることができる。
【００５９】
ユーザインターフェースＡＰＩ４０２は、言語サポートモジュール４２２、言語モジュール４２４、スタイルシートセレクタ４２６、ユーザインターフェースモジュール４２８およびプラットフォーム抽象化レイヤー４３０を包含する。ユーザインターフェース４２８は、ＨＴＭＬ５で書き込まれ、ダイナミックＨＴＭＬ、JavaScriptおよびＣＳＳスタイルシートを網羅する。このダイナミックＨＴＭＬは、ページ内でJavaScriptによって操作され、Ｃ／Ｃ＋＋ミドルウェアに／から通報する。ページは、アプリケーションバンドル内にパッケージングされる。プラットフォーム抽象化レイヤー４３０は、モバイル装置のネイティブブラウザエンジンをインスタンス化・管理し、それをアプリケーションのメインウィンドウにバインドし、アプリケーションバンドルからホームページＨＴＭＬをロードし、JavaScript世界とＣ／Ｃ＋＋世界との間のコードの往復を扱うために必要とされる、プラットフォーム固有のシムコードの非常に薄い一片である。iOS／OSXでは、ブラウザエンジンは、WebKitであり、Androidでは、ブラウザエンジンは、Blinkであり、Windowsでは、ブラウザエンジンは、Internet Explorerである。
【００６０】
スタイルシートセレクタ４２６は、ＨＴＭＬのルック＆フィールを管理し（例えば、所与のプラットフォーム上でよりネイティブのような外観を作るために）、言語中心のリソース（例えば、特有の言語翻訳テキスト文字列、スタイル、色、左から右へ対右から左へなど）の選択を潜在的に管理する。プラットフォーム抽象化レイヤー４３０は、どの特有のＣＳＳスタイルシートがＨＴＭＬによって使用されるべきであるかに関する決定を行う。言語サポートモジュール４２２は、マルチ言語サポートを可能にする。ＣＳＳスタイルシートは、言語固有の書式設定およびレイアウトを可能にするために、文字列ＩＤによって定義されたテキストで、先に記載したように各サポート言語に対して維持される。言語モジュール４２４は、各文字列がネストされた各サポート言語に翻訳された、文字列ＩＤのＸＭＬ表である。
【００６１】
ミドルウェア４０８は、コールバックマネージャ４３２、システムヘルパー４３４、ロギングモジュール４３６、モーションサービスモジュール４３８、設定値マネージャ４４０、情報・モチベーション・行動（ＩＭＢ）マネージャ４４２、アプリケーションセキュリティモジュール４４４、データ完全性マネージャ４４６、ユーザ管理サービス４４８、フィーチャセレクタモジュール４５０および購入サービスモジュール４５２を包含する。コールバックマネージャ４３２は、コールバック機構を手段として用いて作動するスマートデバイスオペレーティングシステムによって必要とされる。アプリケーションは、背景で起動するまたはあるイベントの発生に対してポーリングすることを期待されない。処理能力およびマルチタスクは、スマートデバイス上に限定される。それ故に、ホストオペレーティングシステムは、アプリケーションがそれにイベントの発生を通知するために提供したコールバック機能をイベントトリガーが通報する、コールバック機構を提供する。コールバックマネージャ４３２は、これらのシステムコールバックすべての意図された目標であり、それがそれらを受け取るとき、システムの他のどこかで適切なコードを通報する。
【００６２】
システムヘルパー４３４は、アプリケーションにシステムイベントおよびホストオペレーティングシステムに関する他の情報を通知する。例として、iOSでは、このコンセプトは、「デリゲート」として公知である。システムヘルパー４３４は、これらのシステム通知およびサービスに対してクリアリングハウスとしての役割を果たす。例は、時間変化イベントなどに応えるシステム通知の投稿を包含する。
【００６３】
ロギングサービスモジュール４３６は、機能、例えば、トレースメッセージの表示、一般デバッグ情報ならびにログファイルおよび報告の保存をログするために、アプリケーションの至るところで中央集中の一元化されたアクセスを提供する。
【００６４】
モーションサービスモジュール４３８は、センサ、例えば、モバイル装置１３０内の加速度センサおよびジャイロスコープを扱う。これらのサービスの一つの意図された目的は、それと対になるようにする検査装置１１０の信号強度の分析と組み合わせた、バンプ／タップを検出する装置の加速度センサの知識を要する、モバイル装置１３０に対して検査装置１１０のタップで対にするボンディングを扱うことである。
【００６５】
設定値マネージャ４４０は、主にアプリケーションに対してであるが、検査装置１１０の機器構成およびクラウド機器構成の態様に対しても、ユーザの機器構成設定値を管理する。この例では、設定値マネージャ４４０は、設定データをデータベース４７４に書き込むが、ＸＭＬファイル、．ｐｌｉｓｔ、テキストファイルなどに保存することもできる。
【００６６】
ＩＭＢマネージャ４４２は、ユーザのデータのパターンを検出し、ユーザが自らの糖尿病を管理することを助けることを目的として、ユーザがこれらのパターンを認識しそれらを改善するために自らの行動を改変するようにガイドする。ＩＭＢマネージャ４４２は、情報、モチベーションおよび行動パターンも適切な回数検出し、多くが検出された場合、どの情報、モチベーションおよび行動パターンにユーザの注意を喚起させるべきかを決定する。それは、ユーザの経験の長期管理に対して責任がある。
【００６７】
アプリケーションセキュリティマネージャ４４４は、アプリケーションのハッキングおよび改ざんに対するバルクヘッドとしての役割を果たす。軽減または検出されることができる多くの潜在的な脆弱性がある。アプリケーションセキュリティマネージャ４４４が検出および軽減する識別された脆弱性の一部は、ジェイルブレイクされた／ｒｏｏｔ化されたホスト装置、添付されたデバッガ、変更されたコード、ランタイムコードインジェクションおよびホストＯＳルーチンの置き換えを包含する。
【００６８】
データ完全性マネージャ４４６は、データベース４７４が暗号化され、安全であり、改ざんされていないことを確実にする。これは、一般的なデータ完全性（データベース４７４が一般的な偶発性手段、例えば、装置の電源遮断、アプリケーションの強制終了、バッテリー低下などを通じて破損していないことを確かにするための）ならびに改ざん軽減、例えば、データベース４７４の外部編集または他の危殆化を包含する。手順の例は、ロバストチェックサム計算およびモニタリング、状態チェックまたはデータベース圧縮を包含する。
【００６９】
ユーザ管理サービス４４８は、ユーザ識別およびアカウント管理、例えば、新規ユーザの作成、既存ユーザの記憶、パスワードが正しいか否かのチェックおよびユーザによる自らのアカウント管理を可能にすることを管理する。それは、以下に記載したクラウドサービスマネージャ４９０を使用する。
【００７０】
フィーチャセレクタモジュール４５０は、フィーチャのロック解除を確認し、それらの状態を残りのアプリケーションで管理する。例として、アプリケーションは、ユーザがベーシックな機能を無料で受け取るが、以下に記載したアプリケーション内購入の使用を通じてプレミアムフィーチャのために任意で支払うことができる「フリーミアム」製品として販売されることができる。例として、ＩＭＢおよびボーラス計算は、無料インストールによってロックされることができるが、プレミアムフィーチャとしてアップグレードでロック解除されることができる。
【００７１】
アプリケーション内購入モジュール４５２は、プラットフォームのネイティブアプリケーションストア購買の呼び出しおよび管理を扱う。アプリケーション購入モジュール４５２は、ネイティブ施設のインスタンス化を管理し、それらの結果を処理する。
【００７２】
通信ＡＰＩ４１６は、この例では異なるオペレーティングシステムのBluetoothプロトコルの通信を扱う通信プラグインマネージャ４６０および通信プラグイン４６２を包含する。通信マネージャ４６０は、クラウドサービスサポートを例外としてアプリケーションとのすべての形態のデータ通信を扱う。先に説明したように、装置通信の方法の例は、Bluetooth 4.0（Bluetooth Low EnergyまたはBLE）である。装置通信の他の方法を使用することができると考えられる。異なるプラグイン４６２は、異なるオペレーティングシステムのためにアクセスされることができる。
【００７３】
この例では、プラグイン４６２は、iOS Bluetoothプラグインと、Android Bluetoothプラグインと、OSX Bluetoothプラグインと、Windows Bluetoothプラグインとを包含するが、他のオペレーティングシステムの他のプラグインを使用することができる。例として、iOS Bluetoothプラグインは、ジェネリックプラグインインターフェースの裏で、iOSのCoreBluetoothスタックの機能を整然とした、抽象化されたパッケージにまとめる。CoreBluetoothの詳細は、ここでは論じられないが、プラグインの高レベルの機能は、以下の機能：CoreBluetoothの初期化、コントロールパネル上でBLE無線がオンにされていることのチェック、装置のスキャン、装置が検出される際のそれらのミドルウェアへの提供、ミドルウェアが求めるときの装置への接続、接続された装置に添付されたサービスおよび特徴の発見、イベントが起きたときの特徴への加入およびミドルウェアへの通知、ミドルウェアが要求するときの特徴への書き込み、装置からの離脱および予期せぬ離脱の扱いを実施することである。
【００７４】
もう一つの例は、Android BluetoothスタックがiOSに対して先に概説されたものと同じ機能を実施するが、二つのスタックが完全に異なる、Android Bluetoothプラグインである。Android 4.3に導入されたAndroid BLEスタックは、ここでは論じられない。Androidプラグインは、iOS BLEプラグインに使用されたものと同じインターフェースの裏で、Android BLEスタックの機能をまとめる。
【００７５】
ＢＣＰ  ＡＰＩ４１８は、BLE（Bluetooth）仕様がかねてから提供するものを超える追加的なセキュリティを提供するリンクセキュリティモジュール４６４を包含する。リンクセキュリティモジュール４６４は、アプリケーションのBluetoothインターフェースの独占的部分にわたり追加データを暗号化することができ、特有の検査装置またはアプリケーションのみがそのようなデータを復号／デコードすることができるようにする。方法は、ハッシュアルゴリズムのキーとしての共有された機密または秘密キーの交換を包含する。リンクセキュリティモジュール４６４のもう一つの潜在的な使用は、アクセスコントロールを提供し、権限を与えられた交換のみがある独占的フィーチャにアクセスできるようにすることである。
【００７６】
血中グルコースプロファイル４２０は、血中グルコース結果パーサー４６６を包含する。どのホストオペレーティングシステムが働いているかにかかわらず、血中グルコース結果は、図１の検査装置１１０のある特徴に関する通知の結果として出る。これらの通知は、パックされ、人間が可読である結果にデコードされる必要がある。血中グルコース結果パーサー４６６は、それ故に、あらゆるプラットフォーム間で共有されることができる；しかし、それは、Bluetoothに密結合され、ミドルウェアの他のどこかに属さないようにする。それは、各プラグインで複製された単一の一片のＣ／Ｃ＋＋コードであることができる。
【００７７】
データベースＡＰＩ４１４は、アプリケーション、同期マネージャ４８０およびパターン検出モジュール４８２でのデータの永続的なローカル保存を扱うために、データベースマネージャ４７０を包含する。この例では、データベースマネージャ４７０は、データベース４７４とインターフェースするＳＱＬプラグイン４７２とインターフェースする。データベース４７４は、アプリケーション４００によって必要とされる関連データおよび設定値を保存する。データベースマネージャ４７０は、SQLiteデータベースの機能をジェネリックプラグインインターフェースにまとめるＳＱＬプラグイン４７２とインターフェースする。使用されることができる他のタイプのデータベースは、非ＳＱＬデータベース、ＸＭＬファイル、ｐｒｅｆｓファイルなどを包含すると考えられる。
【００７８】
同期マネージャ４８０は、図１のインターネット１４０までのローカルデータベースコンテンツのクラウド同期およびインターネット１４０から戻されたデータを同期することを扱う。理想的には、同期マネージャ４８０は、クラウドサービスマネージャ４９０によってコントロールされる。この例では、同期マネージャ４８０は、SQLiteと非常に密結合され、それは、データベースＡＰＩ４１４内に位置する。
【００７９】
パターン検出モジュール４８２は、ユーザのデータのパターンを検出する。この理由のため、それは、ミドルウェアの他のどこかにある代わりに、データベース４７４と非常に密結合される。パターン検出モジュール４８２は、ユーザの血中グルコース示度の一式のパターンを探し、結果をミドルウェア４０８のＩＭＢモジュール４４２に渡す。説明されるように、パターン検出は、オンデマンドで（例えば、示度の受け取り後、それがパターンをトリガーするか否かを決定する）またはバッチ／オフライン／背景モードでトリガーされることができる。
【００８０】
クラウドサービスＡＰＩ４１２は、クラウドサービスマネージャ４９０と、ネットワークリンクセキュリティモジュール４９２とを包含する。クラウドサービスマネージャ４９０は、概して任意のウェブ技術、例えば、ＴＣＰ／ＩＰ、ＵＤＰ、ソケット、ＨＴＴＰＳ、ＳＳＬなどを包含するすべてのネットワーク関連サービスのための中央集中クリアリングハウスとしての役割を果たす。この例では、クラウドサービスマネージャ４９０は、すべてのクラウド、インターネットおよび第三者接続性のためのセントラルハブとしての役割を果たす。クラウドサービスマネージャ４９０は、ＷｉＦｉ／３Ｇネットワーク検出、血中グルコース示度同期、ユーザアカウント同期、設定値、管理、メータ登録、オンラインサービス、購買インフラストラクチャおよびオンラインポータルを提供することができる。
【００８１】
図５Ａは、図４のデータ分析・管理アプリケーション４００によって計算装置、例えば、図１のモバイル装置１３０上に生成された、最初の画面表示５００を図示する。ユーザは、モバイル装置１３０を作動させるための一般的なセキュリティ処置で、あるいは先に記載したように強化されたセキュリティ手順でアプリケーションにアクセスすることができる。画面表示５００は、サーバ１５０と通信する他の装置上に、アプリケーションによって生成されることもできる。最初の画面表示５００は、ペアリングボタン５０２と、ツアーを開始ボタン５０４と、アカウントボタン５０６とを包含する。ペアリングボタン５０２は、検査装置をモバイル装置１３０と対にするために、ユーザが画面にアクセスすることを可能にする。この例では、ユーザが図１のサーバ１５０上にアカウントを維持する場合、複数の検査装置は、携帯装置と対にすることができる。この例では、ユーザがアカウントを有しない場合、ユーザは、一つのメータをモバイル装置１３０に対にすることのみができる。他のタイプの検査または調量装置、例えば、ヘルスモニタ、歩数計、パーソナルフィットネスモニタなどは、モバイル装置１３０と対にすることができる。
【００８２】
ツアーを開始ボタン５０４は、ユーザがデータ表示および分析機能の双方向トレーニングがモバイル装置１３０上に提供されることを可能にし、携帯装置１３０上のアプリケーションを介して、図２Ａの検査装置１１０のようなモバイル装置１３０と対にした検査装置の設定を通じてユーザをガイドする。ツアーを開始ボタン５０４は、アプリケーションの機能または検査装置１１０の作動についてユーザをトレーニングするプロセスにおいて、異なる音をアクティブにし、ディスプレイグラフィックまたは色を表示することができる。アカウントボタン５０６は、選択されるとき、ユーザが図１のデータベース１６０上に保存されたユーザに関するデータにアクセスすることを可能にする。アクセスは、医療データにアクセスするためのユーザの安全な識別を包含する。アカウントボタン５０６は、ユーザがサーバ１５０上でアカウントを作成することを可能にする。アカウントボタンは、ユーザがメータまたは検査装置を図１のサーバ１５０によって維持されたユーザと関連しているアカウントに登録することも可能にする。サーバ１５０によって管理されたユーザアカウントは、説明されるように、メータおよびメータとユーザの関係の登録ならびにユーザに関するデータの保存を可能にする。
【００８３】
図５Ｂは、ユーザが携帯装置１３０上の分析・管理プログラムの機能にアクセスすることを可能にするプルダウンメニュー５１０を示す。プルダウンメニュー５１０は、この実施態様では、任意の画面から、モバイル装置１３０のディスプレイにわたりユーザが指をスワイプすることによってアクセスされる。プルダウンメニュー５１０は、「自分のデータ」選択５１２と、パターン選択５１４と、リマインダ選択５１６と、プロファイル選択５１８と、設定値選択５２０と、ヘルプ選択５２２とを包含する。「自分のデータ」選択５１２は、現在の示度および追加情報、例えば、以下に説明されるように、過去の示度に関するデータを表示する。パターン選択５１４は、ユーザが過去の示度データに基づいて運動の任意のパターンを検出することを可能にする。この例では、パターン選択は、検出されたがユーザによって読み取られなかったパターンを指し示すことができる警告アイコン５２４を包含する。
【００８４】
リマインダ選択５１６は、ユーザが異なるイベントに対してアクティブにされることができるリマインダを表示し、コントロールすることを可能にする。プロファイル選択５１８は、ユーザが検査に使用される自らの医療プロファイルを表示することを可能にする。この例では、プロファイルは、主たるヘルスケアプロバイダまたはユーザがユーザの現在の医療状態に関する情報を更新するためにプロファイルを変えることができるものの、ユーザのために設定される。設定値選択５２０は、ユーザが図１のサーバ１５０上で検査装置および自らのアカウントに対して設定値を設定することを可能にする。ヘルプ選択５２２は、さまざまなヘルプウィンドウを開いて、モバイル装置１３０上のアプリケーションを作動させる際にユーザの手助けをする。
【００８５】
図５Ｃは、図５Ｂのプルダウンメニュー５１０の設定値オプション５２０を選択することによってアクセスされる設定画面５３０を示す。設定画面５３０は、メータフィールド５３２と、クラウドアカウント情報フィールド５３４と、ボーラス計算機フィールド５３６と、デイディバイダフィールド５３８と、「その他」設定値フィールド５４０とを包含する。フィールド４３２、５３４、５３６、５３８および５４０の各々は、アプリケーションのさまざまな機能を設定するために、追加的な選択を展開し、表示するように選択されることができる。
【００８６】
図５Ｄは、メータフィールド５３２およびクラウドアカウント情報フィールド５３４が展開された設定値選択画面５３０を示す。メータフィールド５３２は、今回は、モバイル装置１３０と通信するまたは通信したメータ５４２の一覧を包含する。通信のプロセスは、モバイル装置１３０を図１の検査装置１１０のような検査装置と対にすることである。一覧５４２の各々は、メータの名称と、検査データを送信するために前回メータがモバイル装置１３０と通信した時間を包含する。メータフィールド５３２は、選択されるとき、ユーザが新規の検査装置またはメータをモバイル装置１３０と対にすることを可能にするメータ追加ボタン５４４も包含する。この例では、モバイル装置１３０上のアプリケーションは、ユーザがセントラルサーバ１５０にアカウントを有する場合、四つまでのメータを対にすることができる。四つを超えるメータを対にさせようと試みられる場合、モバイル装置１３０との通信からの間隔が最も長いメータがドロップされる。
【００８７】
対にする手順は、メータ追加ボタン５４４を選択することによって開始される。モバイル装置１３０は、新規の検査装置またはメータを対にするために、命令をユーザに表示する。この例では、検査装置１１０は、モバイル装置１３０に近接して設置され、オンにされる。プッシュボタン２２８は、Bluetooth通信が確立されたことを指し示す照明パネル２３２が青になるまでしばらくの時間押下される。ユーザは、その後、メータに関する情報、例えば、メータをモバイル装置１３０で識別するシリアル番号を選択することができる。必要とされる情報が入力された後、モバイル装置１３０上の表示は、その後、対にすることの成功を指し示し、新規のメータがメータフィールド５３２に追加される。既に対にしたメータまたは検査装置のケースでは、モバイル装置１３０上の表示は、対にすることの成功が発生したことを指し示す。対にすることが不成功の場合、モバイル装置１３０は、対にすることが不成功だったことをユーザに知らせる情報を表示し、問題に対する解決策のための情報を表示する。任意の対にした検査装置は、適切な選択を行うユーザによって対にすることが解除されることができる。
【００８８】
一旦モバイル装置１３０がメータまたは検査装置、例えば、検査装置１１０と対にすると、モバイル装置１３０は、検査装置によって得られた情報を同じように詳細にまたはより詳細に表示することができる。例として、モバイル装置１３０は、図２Ｃのディスプレイ２２２上に示される情報を表示することができる。モバイル装置１３０は、検査装置１１０の異なる機能、例えば、照明パネル２３２をアクティブにすること、オーディオをアクティブにすること、検査通知または目標範囲を設定することを設定するために使用されることができる。モバイル装置１３０は、検査装置作動の際のエラーを示すことも、エラーの修正の仕方に関する情報を包含することもできる。
【００８９】
クラウドアカウントフィールド５３４は、ユーザが図１のサーバ１５０を介してデータベース１６０上で自らのアカウントにアクセスすることを可能にする情報および選択を包含する。クラウドアカウントフィールド５３４は、ユーザおよびサーバ１６０上のアカウントへの最後のサインインに関する情報を有する情報フィールド５４６に関するサインを包含する。ユーザは、アカウントを管理するために、情報フィールド５４６上でサインを選択することができる。Ｅメール概要情報フィールド５４８は、いつ結果がユーザにＥメールされるかを表示し、結果がＥメールされる頻度をユーザが設定することを可能にする。結果は、異なる形式またはドキュメント、例えば、ｐｄｆ形式でＥメールされることができる。「自分のデータを共有」オプション５５０は、ユーザが第三者、例えば、ヘルスケアプロフェッショナルに対し、アカウントに関するデータを共有することを可能にする。「自分のデータを共有」オプション５５０の選択は、データを共有するために第三者に関する情報をユーザが入力するための特有の入力フィールドを持つウィンドウをポップアップする。アカウントは、ユーザがデータベース１６０または他のクラウド保存からアプリケーションへデータをバックアップし、復元することを可能にする。
【００９０】
図５Ｅは、ボーラス計算機フィールド５３６が展開された設定値選択画面５３０を示す。ユーザは、計算機タイプの機器構成を可能にする計算機タイプフィールド５５２、炭水化物インスリン比フィールド５５４およびインスリン感受性フィールド５５６から選択することによってボーラス計算機機能を設定することができる。
【００９１】
図５Ｆは、デイディバイダフィールド５３８が展開された設定値選択画面５３０を示す。デイディバイダフィールド５３８は、異なる区分に割り当てられた時刻を示す時間区分５６０の一覧を包含する。例として、図５Ｆの機器構成は、五つのデイディバイダを有する。一覧５６０の各々は、区分５６２、例えば、朝食や昼食および区分と関連している時間範囲５６４の記載を包含する。ユーザは、各区分の時間の調整を可能にするポップアップウィンドウを通じて、デイディバイダの設定値を変えることができる。
【００９２】
図５Ｇは、その他設定値フィールド５４０が展開された設定値選択画面５３０を示す。その他設定値フィールド５４０は、ユーザがアプリケーションの言語を選ぶことを可能にする言語選択フィールド５７０およびユーザがカスタマーサービスにコンタクトすることを可能にするカスタマーサービスフィールド５７２を包含する。
【００９３】
図５Ｈは、図５Ａのメータ一覧５４２のメータの任意のものが選択されるときに表示されるメータ情報画面５８０を示す。メータ情報画面５８０は、メータまたは検査装置のグラフィック５８２と、最後の同期時間５８４と、名称フィールド５８６とを包含する。ユーザは、日時同期トグルスイッチ５８８、サウンドトグルスイッチ５９０、食事マーキングスイッチ５９２および目標インジケータライトトグルスイッチ５９４を選択することによって、メータまたは検査装置を設定することができる。メータまたは検査装置は、ペアリング解除ボタン５９６を選択することによって対にすることを解除され得る。
【００９４】
メータまたは検査装置のグラフィック５８２は、識別目的のためにメータまたは検査装置のシリアル番号を包含する。名称フィールド５８６は、メータまたは検査装置の名称を入力してそれをモバイル装置１３０と対にした他の検査装置と区別するために、ユーザによって選択されることができる。最後の同期時間５８４は、前回検査装置からのデータがモバイル装置１３０上のデータと同期された日付および時間を表示する。
【００９５】
図６Ａは、「自分のデータ」選択５１２が図５Ｂのメニュー５１０から選択されるときに表示されるパーソナルデータ画面６００を示す。この例では、パーソナルデータ画面６００は、アプリケーションによって表示されるデフォルト画面である。パーソナルデータ画面６００は、タイムラインエリア６０２と、示度表示エリア６０４とを包含する。示度表示エリア６０４は、特定の日に対する示度を表す一連の日付ウィンドウ６０６を包含する。示度は任意の順に表示されることができるものの、この例では、示度は、古い順に配置される。この例では、ユーザは、画面６００の下部近くに直近の示度を示すために、スクロールダウンすることができる。日付ウィンドウ６０６は、特定の示度を持つ異なる発生を包含するために、特定の日に対して選択されることができる、一連のマーカーアイコン６０８を包含する。例として、マーカーアイコン６０８は、関連している写真を指し示す写真アイコン、関連しているメモを指し示すメモアイコン、運動後に発生した示度を指し示す運動アイコン、食事後に発生した示度を指し示す食事アイコンまたは薬の用量を指し示すインスリンアイコンを包含することができる。
【００９６】
日付ウィンドウ６０６は、ユーザによって測られた各示度に対する一覧６１０および結果として生じる測定された血中グルコースデータを包含する。一覧６１０は、示度が測られた時間、示度値およびこの例では食事前、食事後または空腹時であることができるログアイコンを包含する。示度値は、示度値が関連している目標範囲内であることを指し示す緑色、示度が目標範囲に満たないことを指し示す赤または示度が目標範囲を超えることを指し示す橙で囲まれることができる。目標範囲に対する示度値を指し示すために、他の色、パターンまたは可視的インジケータを使用することができると考えられる。
【００９７】
タイムラインエリア６０２は、しばらくの時間（例えば、この例では３日）にわたる示度をプロットするグラフ６１２を包含する。示度をプロットするためにより長いまたはより短い期間を使用することができる。グラフ６１２は、検査装置１１０から測られ、モバイル装置１３０に通信された測定値に基づいて示度が発生した時刻を表す丸６１４を包含する。丸６１４は、目標範囲に対する示度によって色付けされることができる。ドットの線図は、日付ウィンドウ６０６の画面のトップにある１日に対して表示される。この例では、一覧６１０の日曜の四つの示度がグラフ６１２に線図として表示される。プロット線６１６は、血中グルコーススケールに対して、丸６１４の異なる値を示す。この例では、データがモバイル装置１３０によって自動的に受け取られない事態では、異なる形状、例えば、菱形がユーザによる示度の手入力のためにプロットされることができる。
【００９８】
図６Ｂは、モバイル装置１３０上に表示されることができる平均化データ表示画面６２０を示す。表示画面６２０は、図６Ａの一覧６１０を図６Ｂのより小さい現在の示度エリア６２４にユーザが折り畳むことによって表示される。表示画面６２０は、図６Ａのデータ一覧画面６００のタイムラインエリア６０２と同一であるタイムラインエリア６２２を包含する。表示画面６２０は、現在の示度エリア６２４および週次示度エリア６２６も有する。現在の示度エリア６２４は、ユーザが示度と関連させたマーカーを指し示す一連のアイコン６２８を包含する。現在の示度エリア６２４は、示度が目標範囲内であるかまたは目標範囲を超えるもしくは満たないかを意味する色である、フィールド６３０の示度も包含する。示度フィールド６３０は、食事前または食事後の示度を指し示すアイコンも包含する。
【００９９】
週次示度エリア６２６は、情報バー６３２を包含する。情報バー６３２は、週からの示度を、どのくらい多くの示度が範囲内（真ん中の緑）にある、範囲を超える（左の橙）および範囲に満たない（右の赤）かを指し示す三つの異なるカラーエリアに分類する。各カラーエリアの長さは、情報バー６３２のエリアによって表される範囲に収まる示度の数と一致する。情報バー６３２は、三つのエリア各々の示度のパーセンテージならびに各エリアの示度の数も指し示す。週次示度エリア６２６は、平均が計算される間、すべてが示度に関する概要データを提供する、示度の数フィールド６３４、平均示度値フィールド６３６および変動フィールド６３８も包含する。
【０１００】
この例では、図６Ａの画面６００または図６Ｂの画面６２０は、ユーザがモバイル装置１３０を縦方向に向けるときに表示される。横向きに表示するようにユーザがモバイル装置１３０を回す場合、表示は、図６Ｃに示す詳細なデータ画面６４０に変えられる。詳細なデータ画面６４０は、展開されたグラフ６４２を包含する。この例では、グラフ６４２のＹ軸は、血中グルコースの値を表し、Ｘ軸は、時間スケールである。より長いまたはより短い期間を表示することができるものの、この例の展開されたグラフ６４２は、１日分の示度を示す。展開されたグラフ６４２は、円形形状であるプロット点６４４を包含する。プロット点６４４の各々は、示度を表し、円形形状で示度の値を示す。図６Ａの前のグラフの場合と同様に、プロット点６４４の円形形状は、示度が範囲内であるかまたは範囲を超えるもしくは満たないかを指し示すために、色付けされることができる。図６Ａの前のグラフの場合と同様に、ユーザによる手入力を表すために、異なる形状、例えば、菱形を使用することができる。プロット線６４６は、プロット点６４４を接続する。
【０１０１】
グラフ６４２は、関連しているユーザログブックへの他の入力を指し示す異なるアイコンも包含する。例として、一連のメモアイコン６４８は、示度が記録されたときにユーザがメモを入力したことを指し示す。より大きいメモアイコン６５２は、示度と関連していなかったメモの入力を指し示した。メモアイコン６５２は、メモが入力された時点でプロット線６４６上に現れる。カメラアイコン６５０は、写真が装置１３０上のカメラ３２２で撮影されたことを指し示す。もう一つの１日の示度は、他の日付を選択するために移動されることができるスライダコントロール６５４によって表示されることができる。あるいは、ユーザは、画面を右または左にスワイプし、グラフを移動して表示された日の前または後の比を表示することができる。現在の日である表示されたデフォルト日のみならずもう一つのデフォルト期間からのデータを使用することができる。インスリン投与バー６５６は、服用されたインスリンのユニットの数ならびに回数を指し示す。
【０１０２】
日付範囲セレクタ６６０は、ユーザが選択された日数によってグラフ６４２上のデータをフィルターにかけることを可能にする。図６Ｃでは、ユーザは、セレクタ６６０に示されるように、３０日からのデータを選択したが、他の選択、例えば、３、７、１４または９０日を選択することができる。食事マーカーセレクタ６６２は、ユーザが異なる食事マーカーから選択することを可能にするドロップダウンメニューを表示する。したがって、図６Ｃの食事マーカーセレクタ６６２ですべてが選択されるとき、すべてのデータは、表示される。食事マーカーセレクタ６６２の食事前マーカーが選択される場合、食事前示度のデータのみが表示され、食事後マーカーが選択される場合、食事後のデータのみが表示される。適切な関連しているアイコンは、どのマーカーフィルターが現在使用されているかを指し示すために、食事マーカーセレクタ６６２に示される。
【０１０３】
表示データは、日／平均スイッチボタン６６４を介して、変えられることができる。この例では、日が選択され、したがって、図６Ｃのディスプレイは、日次示度を示す。ボタン６６４を切り替えて平均を選択することによって、図６Ｄの平均データ表示６７０が表示される。ディスプレイ６７０は、グラフ６７２上にしばらくの時間にわたるプロットを示す。グラフ６７２上に表示されたデータに対する日付の範囲６７４は、ディスプレイ６７０のトップの近くに示される。グラフ６７２は、時刻を包含し、さまざまなデータ点は、しばらくの時間中にそれらが測られた時刻に応じてプロットされる。目標範囲内に収まるあるデータ点６７６は、緑色によって指し示される。目標範囲を上回るあるデータ点６７８は、橙色によって指し示される。目標範囲を下回るあるデータ点６８０は、赤色によって指し示される。
【０１０４】
各示度の詳細な情報は、特定の示度を選択またはタッチすることによって、アクセスされることができる。図６Ｅは、図６Ｃのディスプレイ６４０のプロット点６４４の一つまたは図６Ａのディスプレイ６００もしくは図６Ｂのディスプレイ６２０の示度を選択することによって表示されることができる詳細な情報画面６８４を示す。選択は、ディスプレイのエリアをタップすることによってまたはモバイル装置１３０上のもう一つの選択入力によってなされることができる。詳細な情報画面６８４は、画面のトップに示度の日付および時間を示し、選択された示度を示す示度フィールド６８６を包含する。示度フィールド６８６は、示度が目標範囲内であるかまたは目標範囲を超えるもしくは満たないかを指し示すために、色付けされ、コード化されることができる。インスリンエリア６８８は、インスリンが服用されたか否かおよび服用された量を示す。食事記載エリア６９０は、食事に関する情報を表示する。写真エリア６９２は、示度と関連している任意の写真を示す。メモエリア６９４は、示度と関連しているユーザによって入力された任意のメモを表示する。詳細な情報画面６８４は、キャンセルアイコン６９６を選択することによって閉じられることができる。
【０１０５】
図７Ａは、モバイル装置１３０のユーザによる手入力を追加するための手入力画面７００を図示する。手入力画面７００は、アプリケーションによって示される任意の画面の一覧図からアクセスされることができる。画面インターフェース７００は、ユーザが血中グルコース値を手入力することを可能にする「示度を追加」ボタン７０２を包含する。ユーザは、写真を追加するにはカメラアイコン７０４、メモを追加するにはメモアイコン７０６、運動の発生を追加するには運動アイコン７０８、食事データを入力するには食事アイコン７１０、薬データを入力するには薬アイコン７１２を選択することを通じて、異なる入力を追加することもできる。アイコン７０４、７０６、７０８、７１０および７１２の各々は、選択された場合、追加画面を開いて、ユーザが対応する入力をロードすることを可能にする。
【０１０６】
カメラアイコン７０４は、ユーザがモバイル装置１３０のカメラから撮影されたまたはモバイル装置１３０によってアクセス可能である任意の保存装置に保存された写真を追加することを可能にする一連の画面を開く。メモアイコン７０６は、ユーザがメモを入力することを可能にするキーボードを開く。運動アイコン７０８は、運動の記載、運動の持続時間および運動の激しさを入力または選択する画面を開く。食事アイコン７１０は、ユーザが食事の記載および栄養情報、例えば、一食当たりの食事のカロリーを入力または選択することを可能にする画面を開く。薬アイコン７１２は、ユーザが薬の記載および他の情報、例えば、薬の用量を入力することを可能にする画面を開く。
【０１０７】
図７Ｂは、示度手入力に関するデータを入力するためのポップアップ画面７２０を示す。ユーザは、表示された数字キーパッド７２４を介して、濃度示度フィールド７２２に濃度量を入力することができる。ユーザは、時間選択フィールド７２６を介して時間を、日付選択フィールド７２８を介して日付を選択することができる。一旦ユーザが濃度値、日付および時間の入力を完了すると、ユーザは、完了ボタン７３０を選択することができ、アプリケーションは、手入力画面７００に戻る。
【０１０８】
「示度を追加」ボタン７０２が選択され、データがポップアップ画面７２０を介して入力される場合、追加的な食事マーカーアイコンは、示度を整理するために手入力画面７００上に表示される。食事マーカーアイコンが選択される場合、図７Ｃの食事マーカー入力画面７５０が表示される。ユーザは、空腹時選択７５２、食事前選択７５４および食事後選択７５６から選択することができる。ユーザは、特定の食事に示度を割り当てるために、異なる食事ボタン７５８から選択することもできる。一旦マーカーが選択され、食事が選択されると、ユーザは、続けるボタン７６０を介して、画面を終了させることができる。一旦手入力が完了すると、それは、図６Ａ〜６Ｄに示されるデータ画面にもう一つの入力として示される。
【０１０９】
先に説明したように、アプリケーションは、集められたデータに基づいてパターンを検出し、ユーザにパターンを知らせ、必要な場合、是正措置を提案する。パターンに関する情報は、図５Ｂのプルダウンメニュー画面５１０上でパターンフィールド５１４を選択することによって表示されることができる。パターンに関する情報は、それらが検出されるときにポップアップウィンドウの形態で現れることもできる。
【０１１０】
検出されたパターンは、アクティブ、追加またはアーカイブカテゴリーのものであることができる。パターンは、破棄された状態、改善された状態またはタイムアウト状態のうち一つをさらに有することもできる。パターンを開いた後、ユーザがパターンを破棄する場合、パターンは、破棄された状態を有する。各パターンに対して、改善するために、一式の判定基準が割り当てられる。パターンが判定基準を満たすとき、パターンは、改善された状態を有し、アーカイブカテゴリーに移動されることができる。各パターンは、タイムアウト状態が割り当てられる所定の時間を有する。何も発生しない場合、パターンは、所定の時間後タイムアウトし、アーカイブカテゴリーに移動される。
【０１１１】
アクティブカテゴリーのパターンは、優先レベルおよびグループ考慮によって決定される。アクティブパターンは、パターンを現在満たすデータを包含する。ユーザは、アクティブ状態に移動するために、パターンを選択することができる。以下に説明されるように、ユーザは、アクティブパターンを知らされ、パターンに関する情報を読む。
【０１１２】
追加カテゴリーのパターンは、データを収集せず、検出の優先レベル、グループおよび日付によって決定されるパターンである。アクティブパターンは、パターンに導かれるデータをユーザが改善する場合、追加カテゴリーに改変されることができる。ユーザは、追加パターンに関する情報を得るまたはパターンを破棄するオプションを供される。破棄されたまたは改善された任意の認識されたパターンは、アーカイブカテゴリーに移動され、保存される。
【０１１３】
パターンは、改善されることができる措置または有益な実施であることができるものを示唆することができる。例として、改善の要望を示唆するパターンは、特定の食事の後の高いまたは低い示度、特定の食事の前の高いまたは低い示度、一貫した検査頻度の欠如、設定された時刻に一貫して検査することの欠如、低頻度の検査、特定の時刻における高いまたは低い示度、極めて高いまたは低い示度への一貫した接近および高いまたは低い曜日を包含することができる。有益であるパターンは、安定した血糖または一貫した検査のために最良の時刻を包含することができる。
【０１１４】
図８Ａは、モバイル装置１３０上のアプリケーションによって分析された示度に基づいてユーザにパターンを警告するために発生するパターン通知画面８００である。パターンが検出されるとき、アイコンは、アプリケーションが現在アクティブであるか否かにかかわらず、モバイル装置１３０のディスプレイ上に現れる。パターン通知画面８００は、アイコンを選択するユーザによって表示されることができる。パターン通知画面８００は、パターンが有益であるか問題があるかを指し示すグラフィック８０２を包含する。この例では、上昇傾向または下降傾向の矢印は、パターンが増加していることを指し示す。パターン通知画面８００は、検出されたパターンに関する情報も包含する。この例では、パターンは、ユーザの血中グルコース値が土曜の夜に異常に高かったと検出された。対照的に、有益なパターンは、笑顔または他の類似グラフィックを表示することができる。パターン通知画面８００は、ユーザが発見されたパターンに関するより多くの情報を得ることを可能にする、次を閲覧ボタン８０６を包含する。あとでボタン８０４は、ユーザが検出されたパターンを無視することを可能にする。
【０１１５】
ユーザがあとでボタン８０４を選択する場合、図５Ｂのプルダウンメニュー５１０に戻される。図５Ｂのプルダウンメニュー５１０のパターン選択５１４は、一つまたは複数のパターンがユーザによって読まれていないことを指し示すアイコンを有することができる。メニュー５１０のパターン選択５１４の選択は、図８Ｂに示されるように表示されるパターン管理画面８２０を結果的にもたらす。パターン管理画面８２０は、アクティブカテゴリーパターンを示すアクティブタブ８２２と、追加パターンを示す追加カテゴリータブ８２４と、アーカイブカテゴリーパターンを示すアーカイブタブ８２６とを包含する。タブ８２２、８２４および８２６は、各カテゴリー下のすべてのパターンを示すために、図８Ｂに示されるように展開されることができる。図８Ｂに示されるように、アクティブタブ８２２は、ユーザによって読まれていないパターンの数のインジケータを示す。タブ８２２、８２４および８２６の各々は、そのカテゴリー下のすべてのパターンを一覧にする。一覧にされたパターンは、パターン、パターンが検出された時間およびパターンが改善または破棄されたかの記載を包含する。
【０１１６】
ユーザは、分析されたパターンをサポートするデータを示すパターン詳細画面にアクセスする、図８Ａの次を閲覧ボタン８０６または図８Ｂのパターン一覧８３０の任意のものを選択することができる。パターン詳細画面のコンテンツは、パターンを記載することおよび是正措置を推奨することを対象としている。パターン詳細画面は、それ故に、特定のパターンに合わせられることができる。パターン詳細画面８５０の一つの例は、図８Ｃに示される。パターン詳細画面８５０は、パターンおよびパターンの原因となった潜在的な要因に関する情報を包含する、検出されたパターンの記載８５２を包含する。パターンに導かれる示度を示すグラフ８５４は、表示される。関連示度タブ８５６は、ユーザがパターンをサポートする示度に関する追加情報を表示することを可能にする。そのような表示は、示度の日付および時間ならびに示度値それら自身を包含する。メモタブ８５８は、ユーザがパターンに関するメモを入力することを可能にする。関連リマインダタブ８６０は、ユーザがパターンの原因に潜在的に取り組むための措置のリマインダを設定することを可能にする。パターンを破棄ボタン８６２は、ユーザがパターンを破棄することを可能にする。他のタイプのパターン詳細画面は、パターンに取り組む改善、パターンが取り組まれなかったリマインダ、特定のパターンに関するフィードバックのレベルの選択およびフォローアップ措置に関する情報を文書化することができる。
【０１１７】
図９Ａは、ユーザが図５Ｂのプルダウンメニュー５１０のリマインダオプション５１６を選択するときに表示されるリマインダ画面９００である。リマインダ画面９００は、繰り返しリマインダ選択９０２と、カウントダウンリマインダ選択９０４と、スマートリマインダ選択９０６とを包含する。選択９０２、９０４および９０６の任意のものの選択は、ユーザのためのリマインダを作成する。
【０１１８】
繰り返しリマインダ選択９０２は、図９Ｂに示される繰り返しリマインダ画面９１０に基づいて一連のリマインダを作成する。繰り返しリマインダ画面９１０は、「自分の薬を服用」選択９１２、ログ選択９１４、自分の血糖を検査選択９１６またはその他選択９１８を包含する。
【０１１９】
ユーザが自分の血糖を検査選択９１６を選択する場合、追加画面が現れて、ユーザが特定の時間、食事前示度の後または場所に基づくから選択することを可能にする。特定の時間の選択は、ユーザにリマインドするために、ユーザが時間および日を設定することを可能にする。食事前示度の後の選択は、ユーザが食事前示度の後に検査しなかった場合、ユーザに自らの血糖の検査をリマインドする時間を設定するオプションを与える。時間の選択は、リマインダに対するカウントダウンタイマーをスタートさせる。場所に基づくリマインダの選択は、ユーザがリマインダをトリガーするための場所を選択することを可能にする。
【０１２０】
ユーザが「自分の薬」選択９１２を選択する場合、ユーザが薬および用量を指定することを可能にする追加画面が提供される。もう一つの画面は、ユーザが特定の時間、血糖値に基づいてまたは場所に基づいてリマインダをトリガーすることを選択することを可能にする。リマインダの他の選択要因を使用することができる。ユーザがログ選択９１４を選択する場合、もう一つの選択画面が表示されて、ユーザがログへの入力のためのアイテム、例えば、写真、メモ、運動または食事を選択することを可能にする。もう一つの画面は、ユーザが特定の時間、血糖値に基づいてまたは場所に基づいてリマインダを選択することを可能にする。
【０１２１】
ユーザがその他選択９１８を選択する場合、図９Ｃに示される入力画面９４０が現れて、ユーザが自ら自身のリマインダイベントを作成することを可能にする。入力画面９４０は、ユーザがキーボード９４４からリマインダの記載を入力することを可能にするカスタムリマインダテキストフィールド９４２を包含する。前のリマインダ９４６の一覧も表示され、ユーザが既に入力されたリマインダ記載を選択することを可能にする。記載の入力後、もう一つの画面は、ユーザが特定の時間、血糖値に基づいてまたは場所に基づいてリマインダをトリガーすることを選択することを可能にする。
【０１２２】
図９Ｄは、図９Ａのカウントダウンリマインダ選択９０４が選択される場合に表示される入力画面９５０を示す。入力画面９５０は、ユーザが時間オプション９５２から選択することによって時間を設定することを可能にする。一旦選択されると、タイマーは、リマインダ時間までカウントダウンを始める。
【０１２３】
図９Ａのスマートリマインダ選択９０６が選択されるとき、イベント、例えば、ユーザの健康を管理する手助けをするヘルスケアプロフェッショナルへの受診を包含する追加画面が表示される。イベントは、健康管理、例えば、医師受診、ストレスの多いイベントおよび動機付けメッセージの手助けをするために、ユーザによって使用されることができるプリセットされた検査リマインダである。これらの各々は、選択されることができ、追加情報は、リマインダに添付されることができる。例として、ユーザは、受診に先立ってそのリマインダの一部として、モバイル装置１３０からの医療データまたは図１のデータベース１５０に保存されたユーザアカウントのデータをヘルスケアプロフェッショナルに送る権限を与えることができる。
【０１２４】
図１０Ａは、図５Ｂのプルダウンメニュー５１０でプロファイル選択５１８が選択されるときに表示されるプロファイル管理画面１０００である。プロファイル管理画面１０００は、目標範囲選択１００２と、予約選択１００４と、ヘルスケアチーム選択１００６と、糖尿病プロファイル選択１００８と、ヘモグロビンＡ１ｃ選択１０１０とを包含する。予約選択１００４は、ユーザがヘルスケアプロフェッショナルとの予約に関わる情報、例えば、そのような予約の日付、時間および場所を設定することを可能にする。ユーザは、予約の前のある時間に関連健康データの報告をヘルスケアプロフェッショナルに送るようにモバイル装置１３０を設定することもできる。ヘルスケアチーム選択１００６は、ユーザがヘルスケアプロフェッショナル、例えば、コンタクト情報に関する情報を入力することを可能にする。ヘモグロビンＡ１ｃ選択１０１０は、ユーザが新規のヘモグロビンＡ１ｃ値を追加することを可能にする。
【０１２５】
目標範囲選択１００２の選択は、図１０Ｂに示される範囲選択画面１０３０を表示する。範囲選択画面１０３０は、極めて高いフィールド１０３２と、食事後全体的に高いフィールド１０３４と、食事前／空腹時高いフィールド１０３６と、低いフィールド１０３８と、極めて低いフィールド１０４０とを包含する。ユーザは、次にさまざまなパターンおよび警告ならびに表示される示度の色を決定するこれらのフィールドの任意のものの値を調整することができる。一部のケースでは、ユーザは、専任ヘルスケアプロフェッショナルのみが目標範囲値を調整することができることに同意することができる。
【０１２６】
図１０Ｃは、図１０Ａの糖尿病プロファイル選択１００８が選択されるときに表示される糖尿病プロファイル画面１０５０である。糖尿病プロファイル画面１０５０は、生年月日フィールド１０５２と、性別フィールド１０５４と、糖尿病タイプフィールド１０５６と、インスリン情報フィールド１０５８とを包含する。フィールド１０５２、１０５４、１０５６および１０５８は、ユーザが診断および計画のために自らのプロファイルを調整することを可能にする。
【０１２７】
図１１Ａは、ユーザへの警告を要する検査センサ１１０からの検査データに基づいて、状態が検出されるときに表示される警告画面の例１１００である。例として、警告画面１１００は、示度が極めて高いまたは低い示度のいずれかを指し示す所定の値を超える分だけ目標範囲を超えるまたは満たないときにポップアップすることができる。図１１Ａに示される例では、濃度示度は、極めて低い。警告画面１１００は、極めて低い示度を示す示度フィールド１１０２を包含する。警告メッセージ１１０４は、ユーザに警告の記載および低い示度をなおすための推奨を与える。この例では、背景色は、極めて低い示度状態が発生したことを指し示す赤である。他の色、例えば、極めて高い測定値に対して、橙を使用することができる。スタートタイマーボタン１１０６は、もう一つの測定を行って、推奨に従うか否かを決定するために、ユーザがタイマーを設定することを可能にする。通報ボタン１１０８は、モバイル装置１３０上で電話をアクティブにし、ユーザの手助けをするために緊急コンタクトに通報する。
【０１２８】
スタートタイマーボタン１１０６がアクティブにされるとき、警告画面は、図１１Ｂに示されるように、タイマーカウントダウン表示画面１１１０に移行する。カウントダウン表示画面は、図１１Ａの警告画面１１００からの示度１１０２および警告情報１１０４を保つ。カウントダウン画面１１１０は、次の測定までの時間を示すカウントダウン時間１１１２を包含する。タイマーをキャンセルボタン１１１４は、ユーザがカウントダウンをキャンセルすることを可能にする。
【０１２９】
カウンターが測定の時間に達したとき、ディスプレイは、図１１Ｃに示されるアラート画面１１４０を示す。アラート画面１１４０は、ユーザに検査を実施することを教える情報提供メッセージ・アイコン１１４２を包含する。ＯＫボタン１１４４は、ユーザがアラートを了解することを可能にする。通報ボタン１１０８は、モバイル装置１３０上の電話をアクティブにし、ユーザの手助けをするために緊急コンタクトに通報する。第二の検査示度が許容パラメータ内である場合、アプリケーションは、正常作動に戻る。
【０１３０】
第二の検査示度が重大な範囲内に残る場合、アプリケーションは、図１１Ｄに示されるように、重大な警告画面１１６０を表示する。重大な警告画面１１６０は、新規の示度と、示度がなおも重大な範囲内にあることの警告とを含有する情報エリア１１６２を包含する。画面１１６０は、緊急サービスに自動的に通報する、９１１に通報ボタン１１６４を包含する。画面１１６０は、モバイル装置１３０上の電話をアクティブにし、ユーザの手助けをするために緊急コンタクトに通報する通報ボタン１１６６も包含する。最後に、画面１１６０は、ユーザが検査装置１１０を使用して再検査することを指し示す再検査ボタン１１６８を包含する。
【０１３１】
本発明は、さまざまな変形および代替形態を許すが、その特有の実施態様および方法は、図面に例として示されており、本明細書に詳述される。しかし、本発明を特定の形態または開示された方法に限定することを意図しておらず、それとは反対に、意図は、本発明の本質および範囲内にあるすべての変形、均等物および代替をカバーすることであることが理解される。
【図１】
2018504660.tif 000003
【図２Ａ】
2018504660.tif 000004
【図２Ｂ】
2018504660.tif 000005
【図２Ｃ】
2018504660.tif 000006
【図３】
2018504660.tif 000007
【図４】
2018504660.tif 000008
【図５Ａ】
2018504660.tif 000009
【図５Ｂ】
2018504660.tif 000010
【図５Ｃ】
2018504660.tif 000011
【図５Ｄ】
2018504660.tif 000012
【図５Ｅ】
2018504660.tif 000013
【図５Ｆ】
2018504660.tif 000014
【図５Ｇ】
2018504660.tif 000015
【図５Ｈ】
2018504660.tif 000016
【図６Ａ】
2018504660.tif 000017
【図６Ｂ】
2018504660.tif 000018
【図６Ｃ】
2018504660.tif 000019
【図６Ｄ】
2018504660.tif 000020
【図６Ｅ】
2018504660.tif 000021
【図７Ａ】
2018504660.tif 000022
【図７Ｂ】
2018504660.tif 000023
【図７Ｃ】
2018504660.tif 000024
【図８Ａ】
2018504660.tif 000025
【図８Ｂ】
2018504660.tif 000026
【図８Ｃ】
2018504660.tif 000027
【図９Ａ】
2018504660.tif 000028
【図９Ｂ】
2018504660.tif 000029
【図９Ｃ】
2018504660.tif 000030
【図９Ｄ】
2018504660.tif 000031
【図１０Ａ】
2018504660.tif 000032
【図１０Ｂ】
2018504660.tif 000033
【図１０Ｃ】
2018504660.tif 000034
【図１１Ａ】
2018504660.tif 000035
【図１１Ｂ】
2018504660.tif 000036
【図１１Ｃ】
2018504660.tif 000037
【図１１Ｄ】
2018504660.tif 000038
【国際調査報告】
2018504660.tif 000039
2018504660.tif 000040
2018504660.tif 000041